(57)【要約】  本願発明は、アクティブアンテナシステムにおけるアンテナ分割方法、およびコントローラに関し、方法は、アクティブアンテナシステムＡＡＳセルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、最適化されたエリアの最大容量に対応する第１アンテナパラメータ組み合わせを取得する段階と、第１アンテナパラメータ組み合わせに従ってＡＡＳアンテナを分割する段階とを含む。本願発明の複数の実施形態に係るアクティブアンテナシステムにおけるアンテナ分割方法、およびコントローラは、大きな負荷がかかったＡＡＳセルの負荷を実質的に低減させ得、最適化されたエリアの容量を実質的に増加させ得る。
2017502532.tif 000002
【特許請求の範囲】
【請求項１】
アクティブアンテナシステムＡＡＳセルの負荷が負荷閾値より大きい、またはそれと等しいとき、最適化されたエリアにあるセルに過負荷がかかっておらず、第１セルの負荷が前記ＡＡＳセルの前記負荷未満であり、第２セルの負荷が前記ＡＡＳセルの前記負荷未満である場合、前記最適化されたエリアの最大容量に対応する第１アンテナパラメータ組み合わせを取得する段階であり、前記第１セルおよび前記第２セルは、前記ＡＡＳセルが事前分割された後に得られる２つのセルであり、前記最適化されたエリアは前記ＡＡＳセルであり、または前記ＡＡＳセルと、前記ＡＡＳセルの少なくとも１つの近隣のセルとであり、前記第１アンテナパラメータ組み合わせは、前記第１セルの第１アンテナパラメータと、前記第２セルの第２アンテナパラメータとを含み、前記第１アンテナパラメータは、第１アンテナのダウンチルトと前記第１アンテナの送信電力とを含み、前記第２アンテナパラメータは、第２アンテナのダウンチルトと、前記第２アンテナの送信電力とを含む段階と、
前記第１アンテナパラメータ組み合わせに従ってＡＡＳアンテナを分割する段階と
を備える、アクティブアンテナシステムにおけるアンテナ分割方法。
【請求項２】
前記最適化されたエリアの最大容量に対応する第１アンテナパラメータ組み合わせを取得する前記段階は、
事前設定された期間に前記最適化されたエリアにあるユーザ機器により収集される測定情報を取得する段階と、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得る段階と、
前記測定情報の前記推定値に従って、前記最適化されたエリアの、各アンテナパラメータ組み合わせに対応する容量を計算する段階と、
前記最適化されたエリアの、各アンテナパラメータ組み合わせに対応する前記容量に従って、前記最適化されたエリアの前記最大容量に対応する前記第１アンテナパラメータ組み合わせを取得する段階と
を有する、請求項１に記載のアクティブアンテナシステムにおけるアンテナ分割方法。
【請求項３】
前記測定情報は、前記ユーザ機器の信号対干渉プラス雑音比ＳＩＮＲとスループットとを含み、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得る前記段階は具体的に、前記複数のアンテナパラメータ組み合わせを用いることにより前記ＳＩＮＲおよび前記スループットに基づき推定を実行して、前記複数のアンテナパラメータ組み合わせのうち各アンテナ組み合わせに対応する前記ＳＩＮＲの推定値と前記スループットの推定値とを得る段階を含む、請求項２に記載のアクティブアンテナシステムにおけるアンテナ分割方法。
【請求項４】
前記測定情報の前記推定値に従って、前記最適化されたエリアの、各アンテナパラメータ組み合わせに対応する容量を計算する前記段階は具体的に、
前記ＳＩＮＲの前記推定値および前記スループットの前記推定値に従って、前記最適化されたエリアの、各アンテナパラメータ組み合わせに対応するリソースブロックＲＢ使用状況および負荷差割合を計算する段階と、
前記ＲＢ使用状況および前記負荷差割合に従って、前記最適化されたエリアの、各アンテナパラメータ組み合わせに対応する前記容量を計算する段階と
を含む、請求項３に記載のアクティブアンテナシステムにおけるアンテナ分割方法。
【請求項５】
前記最適化されたエリアの最大容量に対応する第１アンテナパラメータ組み合わせを取得する前記段階は、前記最適化されたエリアの、カバレッジカウンタ閾値より大きい、またはそれと等しい前記第１アンテナパラメータ組み合わせに対応するカバレッジカウンタをさらに有する、請求項１に記載のアクティブアンテナシステムにおけるアンテナ分割方法。
【請求項６】
前記最適化されたエリアの最大容量に対応する第１アンテナパラメータ組み合わせを取得する前記段階は、
前記最適化されたエリアの前記カバレッジカウンタが前記カバレッジカウンタ閾値より大きい、またはそれと等しいことを指すカバレッジ条件を満たす複数のアンテナパラメータ組み合わせを取得する段階と、
前記最適化されたエリアの、前記カバレッジ条件を満たす前記複数のアンテナパラメータ組み合わせに対応する前記容量を計算して、前記最大容量に対応する前記第１アンテナパラメータ組み合わせを取得する段階と
を有する、請求項５に記載のアクティブアンテナシステムにおけるアンテナ分割方法。
【請求項７】
カバレッジ条件を満たす複数のアンテナパラメータ組み合わせを取得する前記段階は、
事前設定された期間に前記最適化されたエリアにあるユーザ機器により収集される測定情報を取得する段階と、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得る段階と、
前記測定情報の前記推定値に従って、前記最適化されたエリアの、各アンテナパラメータ組み合わせに対応するカバレッジカウンタを計算する段階と、
全ての前記複数のアンテナパラメータ組み合わせに対応する計算された複数のカバレッジカウンタを、前記カバレッジカウンタ閾値と比較して、前記カバレッジ条件を満たす前記複数のアンテナパラメータ組み合わせを取得する段階と
を含む、請求項６に記載のアクティブアンテナシステムにおけるアンテナ分割方法。
【請求項８】
前記測定情報は、前記ユーザ機器のＳＩＮＲと基準信号受信電力ＲＳＲＰとを含み、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得る前記段階は具体的に、前記複数のアンテナパラメータ組み合わせを用いることにより前記ＳＩＮＲおよび前記ＲＳＲＰに基づき推定を実行して、前記複数のアンテナパラメータ組み合わせのうち各アンテナパラメータ組み合わせに対応する前記ＳＩＮＲの推定値と前記ＲＳＲＰの推定値とを得る段階を含み、
前記測定情報の前記推定値に従って、前記最適化されたエリアの、各アンテナパラメータ組み合わせに対応する前記カバレッジカウンタを計算する前記段階は具体的に、前記ＳＩＮＲの前記推定値および前記ＲＳＲＰの前記推定値に従って、前記最適化されたエリアの、各アンテナパラメータ組み合わせに対応する前記カバレッジカウンタを計算する段階を含む、請求項７に記載のアクティブアンテナシステムにおけるアンテナ分割方法。
【請求項９】
前記測定情報は、前記ユーザ機器のスループットをさらに含み、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得る前記段階は具体的に、前記複数のアンテナパラメータ組み合わせを用いることにより前記スループットに基づき推定を実行して、前記スループットの、前記複数のアンテナパラメータ組み合わせのうち各アンテナパラメータ組み合わせに対応する推定値を得る段階をさらに含み、
前記最適化されたエリアの、前記カバレッジ条件を満たす前記複数のアンテナパラメータ組み合わせに対応する前記容量を計算して、前記最大容量に対応する前記第１アンテナパラメータ組み合わせを取得する前記段階は具体的に、
前記ＳＩＮＲの前記推定値および前記スループットの前記推定値に従って、前記最適化されたエリアの、前記カバレッジ条件を満たす各アンテナパラメータ組み合わせに対応するリソースブロックＲＢ使用状況および負荷差割合を計算する段階と、
前記ＲＢ使用状況および前記負荷差割合に従って、前記最適化されたエリアの、前記カバレッジ条件を満たす各アンテナパラメータ組み合わせに対応する前記容量を計算して、前記最大容量に対応するアンテナパラメータ組み合わせを取得する段階と
を含む、請求項８に記載のアクティブアンテナシステムにおけるアンテナ分割方法。
【請求項１０】
前記最適化されたエリアの最大容量に対応する第１アンテナパラメータ組み合わせを取得する前記段階は、
事前設定された期間に前記最適化されたエリアにあるユーザ機器により収集される測定情報を取得する段階と、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得る段階と、
前記測定情報の前記推定値に従って、前記最適化されたエリアの、各アンテナパラメータ組み合わせに対応する容量を計算する段階と、
前記最適化されたエリアの、各アンテナパラメータ組み合わせに対応する計算された前記容量に従って、前記最適化されたエリアの前記カバレッジカウンタが前記カバレッジカウンタ閾値より大きい、またはそれと等しいことを指す前記カバレッジ条件を満たす複数のアンテナパラメータ組み合わせの、前記最適化されたエリアの最大容量に対応する前記第１アンテナパラメータ組み合わせを取得する段階と
を有する、請求項５に記載のアクティブアンテナシステムにおけるアンテナ分割方法。
【請求項１１】
前記最適化されたエリアの前記容量カウンタは、式１
【数５６】
2017502532.tif 000058
を用いることにより得られ、
ｐは、前記最適化されたエリアの前記ＲＢ使用状況であり、ｑは、前記最適化されたエリアの前記負荷差割合であり、ｋ１およびｋ２はそれぞれ、前記最適化されたエリアの前記ＲＢ使用状況の比率および前記最適化されたエリアの前記負荷差割合の比率であり、ｋ１＋ｋ２＝１であり、Ｇ１は、より低い容量カウンタがより大きな容量を示す前記容量カウンタである、請求項１から１０のいずれか一項に記載のアクティブアンテナシステムにおけるアンテナ分割方法。
【請求項１２】
前記カバレッジカウンタを計算するための式として式２
【数５７】
2017502532.tif 000059
が用いられ、
ｎは、前記最適化されたエリアの取得された前記測定情報の数であり、ｉ＝１，２，・・・，ｎであり、ｉは整数であり、
【数５８】
2017502532.tif 000060
および
【数５９】
2017502532.tif 000061
はそれぞれ、前記ＲＳＲＰの前記推定値および前記ＳＩＮＲの前記推定値であり、
【数６０】
2017502532.tif 000062
および
【数６１】
2017502532.tif 000063
はそれぞれ、ＲＳＲＰ閾値およびＳＩＮＲ閾値であり、ｋ３およびｋ４はそれぞれ、前記ＲＳＲＰの比率および前記ＳＩＮＲの比率であり、ｋ３＋ｋ４＝１であり、
【数６２】
2017502532.tif 000064
であるとき、
【数６３】
2017502532.tif 000065
は１であり、そうでないとき、
【数６４】
2017502532.tif 000066
は０であり、Ｆ１は前記カバレッジカウンタである、請求項５から１１のいずれか一項に記載のアクティブアンテナシステムにおけるアンテナ分割方法。
【請求項１３】
アクティブアンテナシステムＡＡＳセルの負荷が負荷閾値より大きい、またはそれと等しいとき、最適化されたエリアにあるセルに過負荷がかかっておらず、第１セルの負荷が前記ＡＡＳセルの前記負荷未満であり、第２セルの負荷が前記ＡＡＳセルの前記負荷未満である場合、前記最適化されたエリアの最大容量に対応する第１アンテナパラメータ組み合わせを取得するよう構成された取得ユニットであり、前記第１セルおよび前記第２セルは、前記ＡＡＳセルが事前分割された後に得られる２つのセルであり、前記最適化されたエリアは前記ＡＡＳセルであり、または前記ＡＡＳセルと、前記ＡＡＳセルの少なくとも１つの近隣のセルとであり、前記第１アンテナパラメータ組み合わせは、前記第１セルの第１アンテナパラメータと、前記第２セルの第２アンテナパラメータとを含み、前記第１アンテナパラメータは、第１アンテナのダウンチルトと前記第１アンテナの送信電力とを含み、前記第２アンテナパラメータは、第２アンテナのダウンチルトと、前記第２アンテナの送信電力とを含む取得ユニットと、
前記第１アンテナパラメータ組み合わせに従ってＡＡＳアンテナを分割するよう構成された分割ユニットと
を備える、コントローラ。
【請求項１４】
前記取得ユニットは、
事前設定された期間に前記最適化されたエリアにあるユーザ機器により収集される測定情報を取得するよう構成された第１取得サブユニットと、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得るよう構成された第１推定サブユニットと、
前記測定情報の前記推定値に従って、前記最適化されたエリアの、各アンテナパラメータ組み合わせに対応する容量を計算するよう構成された第１容量計算サブユニットと、
前記最適化されたエリアの、各アンテナパラメータ組み合わせに対応する、前記第１容量計算サブユニットにより計算された前記容量に従って、前記最適化されたエリアの前記最大容量に対応する前記第１アンテナパラメータ組み合わせを取得するよう構成された第２取得サブユニットと
を有する、請求項１３に記載のコントローラ。
【請求項１５】
前記測定情報は、前記ユーザ機器の信号対干渉プラス雑音比ＳＩＮＲとスループットとを含み、
前記第１推定サブユニットは具体的に、前記複数のアンテナパラメータ組み合わせを用いることにより前記ＳＩＮＲおよび前記スループットに基づき推定を実行して、前記複数のアンテナパラメータ組み合わせのうち各アンテナ組み合わせに対応する前記ＳＩＮＲの推定値と前記スループットの推定値とを得るよう構成される、請求項１４に記載のコントローラ。
【請求項１６】
前記第１容量計算サブユニットは具体的に、
前記第１推定サブユニットにより得られた前記ＳＩＮＲの前記推定値および前記スループットの前記推定値に従って、前記最適化されたエリアの、各アンテナパラメータ組み合わせに対応するリソースブロックＲＢ使用状況および負荷差割合を計算し、
前記リソースブロックＲＢ使用状況および前記負荷差割合に従って、前記最適化されたエリアの、各アンテナパラメータ組み合わせに対応する前記容量を計算する
よう構成される、請求項１５に記載のコントローラ。
【請求項１７】
前記最適化されたエリアの、前記第１アンテナパラメータ組み合わせに対応するカバレッジカウンタはカバレッジカウンタ閾値より大きい、またはそれと等しい、請求項１６に記載のコントローラ。
【請求項１８】
前記取得ユニットは、
前記最適化されたエリアの前記カバレッジカウンタが前記カバレッジカウンタ閾値より大きい、またはそれと等しいことを指すカバレッジ条件を満たす複数のアンテナパラメータ組み合わせを取得するよう構成された第３取得サブユニットと、
前記最適化されたエリアの、前記カバレッジ条件を満たす前記複数のアンテナパラメータ組み合わせに対応する前記容量を計算して、前記最大容量に対応する前記第１アンテナパラメータ組み合わせを取得するよう構成された第４取得サブユニットと
を有する、請求項１７に記載のコントローラ。
【請求項１９】
前記第３取得サブユニットは、
事前設定された期間に前記最適化されたエリアにあるユーザ機器により収集される測定情報を取得するよう構成された第５取得サブユニットと、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得るよう構成された第２推定サブユニットと、
前記測定情報の前記推定値に従って、前記最適化されたエリアの、各アンテナパラメータ組み合わせに対応する前記カバレッジカウンタを計算するよう構成された第２カバレッジ計算サブユニットと、
全ての前記複数のアンテナパラメータ組み合わせに対応する計算された複数のカバレッジカウンタを前記カバレッジカウンタ閾値と比較して、前記カバレッジ条件を満たす前記複数のアンテナパラメータ組み合わせを取得するよう構成された第６取得サブユニットと
を含む、請求項１８に記載のコントローラ。
【請求項２０】
前記測定情報は、前記ユーザ機器のＳＩＮＲと基準信号受信電力ＲＳＲＰとを含み、
前記第２推定サブユニットは具体的に、
前記複数のアンテナパラメータ組み合わせを用いることにより前記ＳＩＮＲおよび前記ＲＳＲＰに基づき推定を実行して、前記複数のアンテナパラメータ組み合わせのうち各アンテナパラメータ組み合わせに対応する前記ＳＩＮＲの推定値と前記ＲＳＲＰの推定値とを得るよう構成され、
前記第２カバレッジ計算サブユニットは具体的に、前記ＳＩＮＲの前記推定値および前記ＲＳＲＰの前記推定値に従って、前記最適化されたエリアの、各アンテナパラメータ組み合わせに対応する前記カバレッジカウンタを計算するよう構成される、請求項１９に記載のコントローラ。
【請求項２１】
前記測定情報は、前記ユーザ機器のスループットをさらに含み、
前記第２推定サブユニットは具体的に、前記複数のアンテナパラメータ組み合わせを用いることにより前記スループットに基づき推定を実行して、前記スループットの、前記複数のアンテナパラメータ組み合わせのうち各アンテナパラメータ組み合わせに対応する推定値を得るようさらに構成され、
前記第４取得サブユニットは具体的に、
前記ＳＩＮＲの前記推定値および前記スループットの前記推定値に従って、前記最適化されたエリアの、前記カバレッジ条件を満たす各アンテナパラメータ組み合わせに対応するリソースブロックＲＢ使用状況および負荷差割合を計算し、
前記ＲＢ使用状況および前記負荷差割合に従って、前記最適化されたエリアの、前記カバレッジ条件を満たす各アンテナパラメータ組み合わせに対応する前記容量を計算して、前記最大容量に対応するアンテナパラメータ組み合わせを取得する
よう構成される、請求項２０に記載のコントローラ。
【請求項２２】
前記取得ユニットは具体的に、
事前設定された期間に前記最適化されたエリアにあるユーザ機器により収集される測定情報を取得し、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得、
前記測定情報の前記推定値に従って、前記最適化されたエリアの、各アンテナパラメータ組み合わせに対応する容量を計算し、
前記最適化されたエリアの、各アンテナパラメータ組み合わせに対応する、前記第３容量計算サブユニットにより計算される前記容量に従って、前記最適化されたエリアの前記カバレッジカウンタが前記カバレッジカウンタ閾値より大きい、またはそれと等しいことを指す前記カバレッジ条件を満たす複数のアンテナパラメータ組み合わせの、前記最適化されたエリアの最大容量に対応する前記第１アンテナパラメータ組み合わせを取得する
よう構成される、請求項１７に記載のコントローラ。
【請求項２３】
前記最適化されたエリアの前記容量カウンタは、式１
【数６５】
2017502532.tif 000067
を用いることにより得られ、
ｐは、前記最適化されたエリアの前記ＲＢ使用状況であり、ｑは、前記最適化されたエリアの前記負荷差割合であり、ｋ１およびｋ２はそれぞれ、前記最適化されたエリアの前記ＲＢ使用状況の比率および前記最適化されたエリアの前記負荷差割合の比率であり、ｋ１＋ｋ２＝１であり、Ｇ１は、より低い容量カウンタがより大きな容量を示す前記容量カウンタである、請求項１３から２２のいずれか一項に記載のコントローラ。
【請求項２４】
前記カバレッジカウンタを計算するための式として式２
【数６６】
2017502532.tif 000068
が用いられ、
ｎは、前記最適化されたエリアの取得された前記測定情報の数であり、ｉ＝１，２，・・・，ｎであり、ｉは整数であり、
【数６７】
2017502532.tif 000069
および
【数６８】
2017502532.tif 000070
はそれぞれ、前記ＲＳＲＰの前記推定値および前記ＳＩＮＲの前記推定値であり、
【数６９】
2017502532.tif 000071
および
【数７０】
2017502532.tif 000072
はそれぞれ、ＲＳＲＰ閾値およびＳＩＮＲ閾値であり、ｋ３およびｋ４はそれぞれ、前記ＲＳＲＰの比率および前記ＳＩＮＲの比率であり、ｋ３＋ｋ４＝１であり、
【数７１】
2017502532.tif 000073
であるとき、
【数７２】
2017502532.tif 000074
は１であり、そうでないとき、
【数７３】
2017502532.tif 000075
は０であり、Ｆ１は前記カバレッジカウンタである、請求項１７から２３のいずれか一項に記載のコントローラ。
【発明の詳細な説明】
【技術分野】
【０００１】
本願発明は、無線通信技術の分野に関し、特にアクティブアンテナシステムにおけるアンテナ分割方法、およびコントローラに関する。
【背景技術】
【０００２】
現在、無線ネットワークにおける基地局は既に、様々な周波数帯域および規格のアンテナおよびデバイスで極めて込み合っている。新たなシステム、例えば、ロングタームエボリューション（Ｌｏｎｇ  Ｔｅｒｍ  Ｅｖｏｌｕｔｉｏｎ，ＬＴＥ）基地局が配置される必要がある場合、アンテナのために利用可能な空いた空間はなく、いくつかの機器室にも利用可能な空いた空間はない。アクティブアンテナシステム（Ａｃｔｉｖｅ  Ａｎｔｅｎｎａ  Ｓｙｓｔｅｍ，ＡＡＳ）は既存のネットワークのサービスが変更されないままであることを保証し得るだけでなく、新たな周波数帯域または新たなシステムに基づくサービスも提供し得る。ＡＡＳは無線リモートユニット（Ｒａｄｉｏ  Ｒｅｍｏｔｅ  Ｕｎｉｔ，ＲＲＵ）とアンテナとを統合し、より少ないデバイス設置面積、より短いデバイス設置時間、および遠隔で調整可能なアンテナダウンチルト、方位、およびビーム幅などの利点を有する。
【０００３】
既存のＡＡＳアンテナ分割技術は、ネットワークの動的な変化に適応出来ず、システムの容量を実質的に増加させられない。
【発明の概要】
【０００４】
このことから、本願発明により解消される必要がある技術的課題は、大きな負荷がかかったＡＡＳセルの容量を実質的に増加させるよう、如何にＡＡＳアンテナビームを正しく選択して、同ＡＡＳセルを分割するか、ということである。
【０００５】
先述の技術的課題を解消すべく、本願発明の第１態様によると、アクティブアンテナシステムにおけるアンテナ分割方法が提供され、アンテナ分割方法は、アクティブアンテナシステム（ＡＡＳ）セルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、最適化されたエリアの最大容量に対応する第１アンテナパラメータ組み合わせを取得する段階であり、第１セルおよび第２セルは、ＡＡＳセルが事前分割された後に得られる２つのセルであり、最適化されたエリアはＡＡＳセルであり、またはＡＡＳセルと、ＡＡＳセルの少なくとも１つの近隣のセルとであり、第１アンテナパラメータ組み合わせは、第１セルの第１アンテナパラメータと、第２セルの第２アンテナパラメータとを含み、第１アンテナパラメータは、第１アンテナのダウンチルトと第１アンテナの送信電力とを含み、第２アンテナパラメータは、第２アンテナのダウンチルトと、第２アンテナの送信電力とを含む段階と、
第１アンテナパラメータ組み合わせに従ってＡＡＳアンテナを分割する段階と
を備える。
【０００６】
第１態様を参照し、第１の可能な実施例において、最適化されたエリアの最大容量に対応する第１アンテナパラメータ組み合わせを取得する段階は、
事前設定された期間に最適化されたエリアにあるユーザ機器により収集される測定情報を取得する段階と、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階と、
測定情報の推定値に従って、最適化されたエリアの、各アンテナパラメータ組み合わせに対応する容量を計算する段階と、
最適化されたエリアの、各アンテナパラメータ組み合わせに対応する容量に従って、最適化されたエリアの最大容量に対応する第１アンテナパラメータ組み合わせを取得する段階と
を有する。
【０００７】
第１態様の第１の可能な実施例を参照し、第２の可能な実施例において、測定情報は、ユーザ機器の信号対干渉プラス雑音比（ＳＩＮＲ）とスループットとを含み、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階は具体的に、複数のアンテナパラメータ組み合わせを用いることによりＳＩＮＲおよびスループットに基づき推定を実行して、複数のアンテナパラメータ組み合わせのうち各アンテナパラメータ組み合わせに対応するＳＩＮＲの推定値とスループットの推定値とを得る段階を含む。
【０００８】
第１態様の第２の可能な実施例を参照し、第３の可能な実施例において、測定情報の推定値に従って、最適化されたエリアの、各アンテナパラメータ組み合わせに対応する容量を計算する段階は具体的に、
ＳＩＮＲの推定値およびスループットの推定値に従って、最適化されたエリアの、各アンテナパラメータ組み合わせに対応するリソースブロック（ＲＢ）使用状況および負荷差割合を計算する段階と、
リソースブロック（ＲＢ）使用状況および負荷差割合に従って、最適化されたエリアの、各アンテナパラメータ組み合わせに対応する容量を計算する段階と
を含む。
【０００９】
第１態様を参照し、第４の可能な実施例において、最適化されたエリアの最大容量に対応する第１アンテナパラメータ組み合わせを取得する段階は、最適化されたエリアの、カバレッジカウンタ閾値より大きい、またはそれと等しい第１アンテナパラメータ組み合わせに対応するカバレッジカウンタをさらに有する。
【００１０】
第１態様の第４の可能な実施例を参照し、第５の可能な実施例において、最適化されたエリアの最大容量に対応する第１アンテナパラメータ組み合わせを取得する段階は、
最適化されたエリアのカバレッジカウンタがカバレッジカウンタ閾値より大きい、またはそれと等しいことを指すカバレッジ条件を満たす複数のアンテナパラメータ組み合わせを取得する段階と、
最適化されたエリアの、カバレッジ条件を満たす複数のアンテナパラメータ組み合わせに対応する容量を計算して、最大容量に対応する第１アンテナパラメータ組み合わせを取得する段階と
を有する。
【００１１】
第１態様の第５の可能な実施例を参照し、第６の可能な実施例において、カバレッジ条件を満たす複数のアンテナパラメータ組み合わせを取得する段階は、
事前設定された期間に最適化されたエリアにあるユーザ機器により収集される測定情報を取得する段階と、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階と、
測定情報の推定値に従って、最適化されたエリアの、各アンテナパラメータ組み合わせに対応するカバレッジカウンタを計算する段階と、
全ての複数のアンテナパラメータ組み合わせに対応する計算された複数のカバレッジカウンタを、カバレッジカウンタ閾値と比較して、カバレッジ条件を満たす複数のアンテナパラメータ組み合わせを取得する段階と
を含む。
【００１２】
第１態様の第６の可能な実施例を参照し、第７の可能な実施例において、測定情報は、ユーザ機器のＳＩＮＲと基準信号受信電力（ＲＳＲＰ）とを含み、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階は具体的に、複数のアンテナパラメータ組み合わせを用いることによりＳＩＮＲおよびＲＳＲＰに基づき推定を実行して、複数のアンテナパラメータ組み合わせのうち各アンテナパラメータ組み合わせに対応するＳＩＮＲの推定値とＲＳＲＰの推定値とを得る段階を含み、
測定情報の推定値に従って、最適化されたエリアの、各アンテナパラメータ組み合わせに対応するカバレッジカウンタを計算する段階は具体的に、ＳＩＮＲの推定値およびＲＳＲＰの推定値に従って、最適化されたエリアの、各アンテナパラメータ組み合わせに対応するカバレッジカウンタを計算する段階を含む。
【００１３】
第１態様の第７の可能な実施例を参照し、第８の可能な実施例において、測定情報は、ユーザ機器のスループットをさらに含み、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階は具体的に、複数のアンテナパラメータ組み合わせを用いることによりスループットに基づき推定を実行して、スループットの、複数のアンテナパラメータ組み合わせのうち各アンテナパラメータ組み合わせに対応する推定値を得る段階をさらに含み、
最適化されたエリアの、カバレッジ条件を満たす複数のアンテナパラメータ組み合わせに対応する容量を計算して、最大容量に対応する第１アンテナパラメータ組み合わせを取得する段階は具体的に、
ＳＩＮＲの推定値およびスループットの推定値に従って、最適化されたエリアの、カバレッジ条件を満たす各アンテナパラメータ組み合わせに対応するリソースブロック（ＲＢ）使用状況および負荷差割合を計算する段階と、
ＲＢ使用状況および負荷差割合に従って、最適化されたエリアの、カバレッジ条件を満たす各アンテナパラメータ組み合わせに対応する容量を計算して、最大容量に対応するアンテナパラメータ組み合わせを取得する段階と
を含む。
【００１４】
第１態様の第４の可能な実施例を参照し、第９の可能な実施例において、最適化されたエリアの最大容量に対応する第１アンテナパラメータ組み合わせを取得する段階は、
事前設定された期間に最適化されたエリアにあるユーザ機器により収集される測定情報を取得する段階と、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階と、
測定情報の推定値に従って、最適化されたエリアの、各アンテナパラメータ組み合わせに対応する容量を計算する段階と、
最適化されたエリアの、各アンテナパラメータ組み合わせに対応する計算された容量に従って、最適化されたエリアのカバレッジカウンタがカバレッジカウンタ閾値より大きい、またはそれと等しいことを指すカバレッジ条件を満たす複数のアンテナパラメータ組み合わせの、最適化されたエリアの最大容量に対応する第１アンテナパラメータ組み合わせを取得する段階と
を有する。
【００１５】
第１態様、および第１態様の可能な実施例のいずれか１つを参照し、第１０の可能な実施例において、最適化されたエリアの容量カウンタは、式１
【数１】
2017502532.tif 000003
を用いることにより得られ、
ｐは、最適化されたエリアのＲＢ使用状況であり、ｑは、最適化されたエリアの負荷差割合であり、ｋ１およびｋ２はそれぞれ、最適化されたエリアのＲＢ使用状況の比率および最適化されたエリアの負荷差割合の比率であり、ｋ１＋ｋ２＝１であり、Ｇ１は、より低い容量カウンタがより大きな容量を示す容量カウンタである。
【００１６】
第１態様の第４から第１０の可能な実施例のいずれか１つを参照し、第１１の可能な実施例において、カバレッジカウンタを計算するための式として式２
【数２】
2017502532.tif 000004
が用いられ、
ｎは、最適化されたエリアの取得された測定情報の数であり、ｉ＝１，２，・・・，ｎであり、ｉは整数であり、
【数３】
2017502532.tif 000005
および
【数４】
2017502532.tif 000006
はそれぞれ、ＲＳＲＰの推定値およびＳＩＮＲの推定値であり、
【数５】
2017502532.tif 000007
および
【数６】
2017502532.tif 000008
はそれぞれ、ＲＳＲＰ閾値およびＳＩＮＲ閾値であり、ｋ３およびｋ４はそれぞれ、ＲＳＲＰの比率およびＳＩＮＲの比率であり、ｋ３＋ｋ４＝１であり、
【数７】
2017502532.tif 000009
であるとき、
【数８】
2017502532.tif 000010
は１であり、そうでないとき、
【数９】
2017502532.tif 000011
は０であり、Ｆ１はカバレッジカウンタである。
【００１７】
先述の技術的課題を解消すべく、本願発明の第２態様によると、コントローラが提供され、コントローラは、アクティブアンテナシステム（ＡＡＳ）セルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、最適化されたエリアの最大容量に対応する第１アンテナパラメータ組み合わせを取得するよう構成された取得ユニットであり、第１セルおよび第２セルは、ＡＡＳセルが事前分割された後に得られる２つのセルであり、最適化されたエリアはＡＡＳセルであり、またはＡＡＳセルと、ＡＡＳセルの少なくとも１つの近隣のセルとであり、第１アンテナパラメータ組み合わせは、第１セルの第１アンテナパラメータと、第２セルの第２アンテナパラメータとを含み、第１アンテナパラメータは、第１アンテナのダウンチルトと第１アンテナの送信電力とを含み、第２アンテナパラメータは、第２アンテナのダウンチルトと、第２アンテナの送信電力とを含む取得ユニットと、
第１アンテナパラメータ組み合わせに従ってＡＡＳアンテナを分割するよう構成された分割ユニットと
を備える。
【００１８】
第２態様を参照し、第１の可能な実施例において、取得ユニットは、
事前設定された期間に最適化されたエリアにあるユーザ機器により収集される測定情報を取得するよう構成された第１取得サブユニットと、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得るよう構成された第１推定サブユニットと、
測定情報の推定値に従って、最適化されたエリアの、各アンテナパラメータ組み合わせに対応する容量を計算するよう構成された第１容量計算サブユニットと、
最適化されたエリアの、各アンテナパラメータ組み合わせに対応する、第１容量計算サブユニットにより計算された容量に従って、最適化されたエリアの最大容量に対応する第１アンテナパラメータ組み合わせを取得するよう構成された第２取得サブユニットと
を有する。
【００１９】
第２態様の第１の可能な実施例を参照し、第２の可能な実施例において、測定情報は、ユーザ機器の信号対干渉プラス雑音比（ＳＩＮＲ）とスループットとを含み、
第１推定サブユニットは具体的に、複数のアンテナパラメータ組み合わせを用いることによりＳＩＮＲおよびスループットに基づき推定を実行して、複数のアンテナパラメータ組み合わせのうち各アンテナパラメータ組み合わせに対応するＳＩＮＲの推定値とスループットの推定値とを得るよう構成される。
【００２０】
第２態様の第２の可能な実施例を参照し、第３の可能な実施例において、第１容量計算サブユニットは具体的に、
第１推定サブユニットにより得られたＳＩＮＲの推定値およびスループットの推定値に従って、最適化されたエリアの、各アンテナパラメータ組み合わせに対応するリソースブロック（ＲＢ）使用状況および負荷差割合を計算し、
リソースブロック（ＲＢ）使用状況および負荷差割合に従って、最適化されたエリアの、各アンテナパラメータ組み合わせに対応する容量を計算する
よう構成される。
【００２１】
第２態様を参照し、第４の可能な実施例において、最適化されたエリアの、第１アンテナパラメータ組み合わせに対応するカバレッジカウンタはカバレッジカウンタ閾値より大きい、またはそれと等しい。
【００２２】
第２態様の第４の可能な実施例を参照し、第５の可能な実施例において、取得ユニットは、
最適化されたエリアのカバレッジカウンタがカバレッジカウンタ閾値より大きい、またはそれと等しいことを指すカバレッジ条件を満たす複数のアンテナパラメータ組み合わせを取得するよう構成された第３取得サブユニットと、
最適化されたエリアの、カバレッジ条件を満たす複数のアンテナパラメータ組み合わせに対応する容量を計算して、最大容量に対応する第１アンテナパラメータ組み合わせを取得するよう構成された第４取得サブユニットと
を有する。
【００２３】
第２態様の第５の可能な実施例を参照し、第６の可能な実施例において、第３取得サブユニットは、
事前設定された期間に最適化されたエリアにあるユーザ機器により収集される測定情報を取得するよう構成された第５取得サブユニットと、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得るよう構成された第２推定サブユニットと、
測定情報の推定値に従って、最適化されたエリアの、各アンテナパラメータ組み合わせに対応するカバレッジカウンタを計算するよう構成された第２カバレッジ計算サブユニットと、
全ての複数のアンテナパラメータ組み合わせに対応する計算された複数のカバレッジカウンタをカバレッジカウンタ閾値と比較して、カバレッジ条件を満たす複数のアンテナパラメータ組み合わせを取得するよう構成された第６取得サブユニットと
を含む。
【００２４】
第２態様の第６の可能な実施例を参照し、第７の可能な実施例において、測定情報は、ユーザ機器のＳＩＮＲと基準信号受信電力（ＲＳＲＰ）とを含み、
第２推定サブユニットは具体的に、
複数のアンテナパラメータ組み合わせを用いることによりＳＩＮＲおよびＲＳＲＰに基づき推定を実行して、複数のアンテナパラメータ組み合わせのうち各アンテナパラメータ組み合わせに対応するＳＩＮＲの推定値とＲＳＲＰの推定値とを得るよう構成され、
第２カバレッジ計算サブユニットは具体的に、ＳＩＮＲの推定値およびＲＳＲＰの推定値に従って、最適化されたエリアの、各アンテナパラメータ組み合わせに対応するカバレッジカウンタを計算するよう構成される。
【００２５】
第２態様の第７の可能な実施例を参照し、第８の可能な実施例において、測定情報は、ユーザ機器のスループットをさらに含み、
第２推定サブユニットは具体的に、複数のアンテナパラメータ組み合わせを用いることによりスループットに基づき推定を実行して、スループットの、複数のアンテナパラメータ組み合わせのうち各アンテナパラメータ組み合わせに対応する推定値を得るようさらに構成され、
第４取得サブユニットは具体的に、
ＳＩＮＲの推定値およびスループットの推定値に従って、最適化されたエリアの、カバレッジ条件を満たす各アンテナパラメータ組み合わせに対応するリソースブロック（ＲＢ）使用状況および負荷差割合を計算し、
ＲＢ使用状況および負荷差割合に従って、最適化されたエリアの、カバレッジ条件を満たす各アンテナパラメータ組み合わせに対応する容量を計算して、最大容量に対応するアンテナパラメータ組み合わせを取得する
よう構成される。
【００２６】
第２態様の第４の可能な実施例を参照し、第９の可能な実施例において、取得ユニットは具体的に、
事前設定された期間に最適化されたエリアにあるユーザ機器により収集される測定情報を取得し、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得、
測定情報の推定値に従って、最適化されたエリアの、各アンテナパラメータ組み合わせに対応する容量を計算し、
最適化されたエリアの、各アンテナパラメータ組み合わせに対応する、第３容量計算サブユニットにより計算される容量に従って、最適化されたエリアのカバレッジカウンタがカバレッジカウンタ閾値より大きい、またはそれと等しいことを指すカバレッジ条件を満たす複数のアンテナパラメータ組み合わせの、最適化されたエリアの最大容量に対応する第１アンテナパラメータ組み合わせを取得する
よう構成される。
【００２７】
第２態様、および第２態様の可能な実施例のいずれか１つを参照し、第１０の可能な実施例において、最適化されたエリアの容量カウンタは、式１
【数１０】
2017502532.tif 000012
を用いることにより得られ、
ｐは、最適化されたエリアのＲＢ使用状況であり、ｑは、最適化されたエリアの負荷差割合であり、ｋ１およびｋ２はそれぞれ、最適化されたエリアのＲＢ使用状況の比率および最適化されたエリアの負荷差割合の比率であり、ｋ１＋ｋ２＝１であり、Ｇ１は、より低い容量カウンタがより大きな容量を示す容量カウンタである。
【００２８】
第２態様の第４から第１０の可能な実施例のいずれか１つを参照し、第１１の可能な実施例において、カバレッジカウンタを計算するための式として式２
【数１１】
2017502532.tif 000013
が用いられ、
ｎは、最適化されたエリアの取得された測定情報の数であり、ｉ＝１，２，・・・，ｎであり、ｉは整数であり、
【数１２】
2017502532.tif 000014
および
【数１３】
2017502532.tif 000015
はそれぞれ、ＲＳＲＰの推定値およびＳＩＮＲの推定値であり、
【数１４】
2017502532.tif 000016
および
【数１５】
2017502532.tif 000017
はそれぞれ、ＲＳＲＰ閾値およびＳＩＮＲ閾値であり、ｋ３およびｋ４はそれぞれ、ＲＳＲＰの比率およびＳＩＮＲの比率であり、ｋ３＋ｋ４＝１であり、
【数１６】
2017502532.tif 000018
であるとき、
【数１７】
2017502532.tif 000019
は１であり、そうでないとき、
【数１８】
2017502532.tif 000020
は０であり、Ｆ１はカバレッジカウンタである。
【００２９】
先述の技術的課題を解消すべく、本願発明の第３態様によると、コントローラが提供され、コントローラは、演算処理可能なホストサーバ、パーソナルコンピュータ（ＰＣ）、ポータブルコンピュータ若しくは端末、または同様のものであり得る。
【００３０】
コントローラは、プロセッサ、通信インタフェース、メモリ、およびバスを含む。プロセッサ、通信インタフェース、およびメモリはバスを用いることにより互いに通信を行う。
【００３１】
通信インタフェースは、ネットワーク要素と通信を行うよう構成され、ネットワーク要素は、例えば、仮想マシン運用センターおよび共有メモリを含む。
【００３２】
プロセッサは、プログラムを実行するよう構成される。プロセッサは、本願発明の実施形態を実装するよう構成された中央処理装置（ＣＰＵ）、特定用途向け集積回路（ＡＳＩＣ）、または１または複数の集積回路であり得る。
【００３３】
メモリはファイルを格納するよう構成される。メモリは高速ＲＡＭメモリを含み得、不揮発性メモリ、例えば、少なくとも１つのディスクメモリをさらに含み得る。メモリはメモリアレイでもあり得る。メモリは複数のブロックに分割もされ得、それらブロックは、ルールに従って仮想ボリュームを形成するよう組み合わせられ得る。
【００３４】
可能な実施例において、メモリは、コンピュータ演算命令を含むプログラムコードを格納し、プロセッサはメモリに格納されたプログラムコードを呼び出して、
アクティブアンテナシステム（ＡＡＳ）セルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、最適化されたエリアの最大容量に対応する第１アンテナパラメータ組み合わせを取得する段階であり、第１セルおよび第２セルは、ＡＡＳセルが事前分割された後に得られる２つのセルであり、最適化されたエリアはＡＡＳセルであり、またはＡＡＳセルと、ＡＡＳセルの少なくとも１つの近隣のセルとであり、第１アンテナパラメータ組み合わせは、第１セルの第１アンテナパラメータと、第２セルの第２アンテナパラメータとを含み、第１アンテナパラメータは、第１アンテナのダウンチルトと第１アンテナの送信電力とを含み、第２アンテナパラメータは、第２アンテナのダウンチルトと、第２アンテナの送信電力とを含む段階と、
第１アンテナパラメータ組み合わせに従ってＡＡＳアンテナを分割する段階と
を実行する。
【００３５】
第３態様を参照し、第１の可能な実施例において、最適化されたエリアの最大容量に対応する第１アンテナパラメータ組み合わせを取得する段階は、
事前設定された期間に最適化されたエリアにあるユーザ機器により収集される測定情報を取得する段階と、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階と、
測定情報の推定値に従って、最適化されたエリアの、各アンテナパラメータ組み合わせに対応する容量を計算する段階と、
最適化されたエリアの、各アンテナパラメータ組み合わせに対応する容量に従って、最適化されたエリアの最大容量に対応する第１アンテナパラメータ組み合わせを取得する段階と
を有する。
【００３６】
第３態様の第１の可能な実施例を参照し、第２の可能な実施例において、測定情報は、ユーザ機器の信号対干渉プラス雑音比ＳＩＮＲとスループットとを含み、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階は具体的に、複数のアンテナパラメータ組み合わせを用いることによりＳＩＮＲおよびスループットに基づき推定を実行して、複数のアンテナパラメータ組み合わせのうち各アンテナパラメータ組み合わせに対応するＳＩＮＲの推定値とスループットの推定値とを得る段階を含む。
【００３７】
第３態様の第２の可能な実施例を参照し、第３の可能な実施例において、測定情報の推定値に従って、最適化されたエリアの、各アンテナパラメータ組み合わせに対応する容量を計算する段階は具体的に、
ＳＩＮＲの推定値およびスループットの推定値に従って、最適化されたエリアの、各アンテナパラメータ組み合わせに対応するリソースブロック（ＲＢ）使用状況および負荷差割合を計算する段階と、
リソースブロック（ＲＢ）使用状況および負荷差割合に従って、最適化されたエリアの、各アンテナパラメータ組み合わせに対応する容量を計算する段階と
を含む。
【００３８】
第３態様を参照し、第４の可能な実施例において、最適化されたエリアの最大容量に対応する第１アンテナパラメータ組み合わせを取得する段階は、最適化されたエリアの、カバレッジカウンタ閾値より大きい、またはそれと等しい第１アンテナパラメータ組み合わせに対応するカバレッジカウンタをさらに有する。
【００３９】
第３態様の第４の可能な実施例を参照し、第５の可能な実施例において、最適化されたエリアの最大容量に対応する第１アンテナパラメータ組み合わせを取得する段階は、
最適化されたエリアのカバレッジカウンタがカバレッジカウンタ閾値より大きい、またはそれと等しいことを指すカバレッジ条件を満たす複数のアンテナパラメータ組み合わせを取得する段階と、
最適化されたエリアの、カバレッジ条件を満たす複数のアンテナパラメータ組み合わせに対応する容量を計算して、最大容量に対応する第１アンテナパラメータ組み合わせを取得する段階と
を有する。
【００４０】
第３態様の第５の可能な実施例を参照し、第６の可能な実施例において、カバレッジ条件を満たす複数のアンテナパラメータ組み合わせを取得する段階は、
事前設定された期間に最適化されたエリアにあるユーザ機器により収集される測定情報を取得する段階と、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階と、
測定情報の推定値に従って、最適化されたエリアの、各アンテナパラメータ組み合わせに対応するカバレッジカウンタを計算する段階と、
全ての複数のアンテナパラメータ組み合わせに対応する計算された複数のカバレッジカウンタを、カバレッジカウンタ閾値と比較して、カバレッジ条件を満たす複数のアンテナパラメータ組み合わせを取得する段階と
を含む。
【００４１】
第３態様の第６の可能な実施例を参照し、第７の可能な実施例において、測定情報は、ユーザ機器のＳＩＮＲと基準信号受信電力（ＲＳＲＰ）とを含み、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階は具体的に、複数のアンテナパラメータ組み合わせを用いることによりＳＩＮＲおよびＲＳＲＰに基づき推定を実行して、複数のアンテナパラメータ組み合わせのうち各アンテナパラメータ組み合わせに対応するＳＩＮＲの推定値とＲＳＲＰの推定値とを得る段階を含み、
測定情報の推定値に従って、最適化されたエリアの、各アンテナパラメータ組み合わせに対応するカバレッジカウンタを計算する段階は具体的に、ＳＩＮＲの推定値およびＲＳＲＰの推定値に従って、最適化されたエリアの、各アンテナパラメータ組み合わせに対応するカバレッジカウンタを計算する段階を含む。
【００４２】
第３態様の第７の可能な実施例を参照し、第８の可能な実施例において、測定情報は、ユーザ機器のスループットをさらに含み、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階は具体的に、複数のアンテナパラメータ組み合わせを用いることによりスループットに基づき推定を実行して、スループットの、複数のアンテナパラメータ組み合わせのうち各アンテナパラメータ組み合わせに対応する推定値を得る段階をさらに含み、
最適化されたエリアの、カバレッジ条件を満たす複数のアンテナパラメータ組み合わせに対応する容量を計算して、最大容量に対応する第１アンテナパラメータ組み合わせを取得する段階は具体的に、
ＳＩＮＲの推定値およびスループットの推定値に従って、最適化されたエリアの、カバレッジ条件を満たす各アンテナパラメータ組み合わせに対応するリソースブロック（ＲＢ）使用状況および負荷差割合を計算する段階と、
ＲＢ使用状況および負荷差割合に従って、最適化されたエリアの、カバレッジ条件を満たす各アンテナパラメータ組み合わせに対応する容量を計算して、最大容量に対応するアンテナパラメータ組み合わせを取得する段階と
を含む。
【００４３】
第３態様の第４の可能な実施例を参照し、第９の可能な実施例において、最適化されたエリアの最大容量に対応する第１アンテナパラメータ組み合わせを取得する段階は、
事前設定された期間に最適化されたエリアにあるユーザ機器により収集される測定情報を取得する段階と、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階と、
測定情報の推定値に従って、最適化されたエリアの、各アンテナパラメータ組み合わせに対応する容量を計算する段階と、
最適化されたエリアの、各アンテナパラメータ組み合わせに対応する計算された容量に従って、最適化されたエリアのカバレッジカウンタがカバレッジカウンタ閾値より大きい、またはそれと等しいことを指すカバレッジ条件を満たす複数のアンテナパラメータ組み合わせの、最適化されたエリアの最大容量に対応する第１アンテナパラメータ組み合わせを取得する段階と
を有する。
【００４４】
第３態様、および第３態様の可能な実施例のいずれか１つを参照し、第１０の可能な実施例において、最適化されたエリアの容量カウンタは、式１
【数１９】
2017502532.tif 000021
を用いることにより得られ、
ｐは、最適化されたエリアのＲＢ使用状況であり、ｑは、最適化されたエリアの負荷差割合であり、ｋ１およびｋ２はそれぞれ、最適化されたエリアのＲＢ使用状況の比率および最適化されたエリアの負荷差割合の比率であり、ｋ１＋ｋ２＝１であり、Ｇ１は、より低い容量カウンタがより大きな容量を示す容量カウンタである。
【００４５】
第３態様の第４から第１０の可能な実施例のいずれか１つを参照し、第１１の可能な実施例において、カバレッジカウンタを計算するための式として式２
【数２０】
2017502532.tif 000022
が用いられ、
ｎは、最適化されたエリアの取得された測定情報の数であり、ｉ＝１，２，・・・，ｎであり、ｉは整数であり、
【数２１】
2017502532.tif 000023
および
【数２２】
2017502532.tif 000024
はそれぞれ、ＲＳＲＰの推定値およびＳＩＮＲの推定値であり、
【数２３】
2017502532.tif 000025
および
【数２４】
2017502532.tif 000026
はそれぞれ、ＲＳＲＰ閾値およびＳＩＮＲ閾値であり、ｋ３およびｋ４はそれぞれ、ＲＳＲＰの比率およびＳＩＮＲの比率であり、ｋ３＋ｋ４＝１であり、
【数２５】
2017502532.tif 000027
であるとき、
【数２６】
2017502532.tif 000028
は１であり、そうでないとき、
【数２７】
2017502532.tif 000029
は０であり、Ｆ１はカバレッジカウンタである。
【００４６】
本願発明の複数の実施形態において提供されるアクティブアンテナシステムにおけるアンテナ分割方法、およびコントローラによると、ＡＡＳアンテナパラメータが調整された後の、最適化されたエリアにあるセルの負荷は、アンテナパラメータのゲインに応じて推定され得る。最適化されたエリアにあるセルに過負荷がかかっておらず、ＡＡＳセルが分割された後に得られる２つのセルの負荷が、ＡＡＳセルが分割される前のＡＡＳセルの負荷未満であるとき、コントローラは、最適化されたエリアの容量を再計算し得る。全ての計算された容量値が比較されて、最大容量に対応するアンテナパラメータ組み合わせが取得される。最後にコントローラは、アンテナパラメータ組み合わせに対応するビームに応じて、大きな負荷がかかったＡＡＳセルに対応するＡＡＳアンテナを分割し得る。本願発明の複数の実施形態に係るアクティブアンテナシステムにおけるアンテナ分割方法は、大きな負荷がかかったＡＡＳセルの負荷を実質的に低減させ得、最適化されたエリアの容量を実質的に増加させ得る。
【００４７】
本願発明の他の複数の特徴および態様は、添付の複数の図面を参照する、複数の例示的な実施形態の以下の複数の詳細な説明からより明らかになるであろう。
【図面の簡単な説明】
【００４８】
本明細書に含められ、本明細書の一部としての役割を担う添付の複数の図面は、本明細書と共に、本願発明の複数の例示的な実施形態、特徴、および態様を示し、本願発明の複数の原理を説明するのに用いられる。
【００４９】
【図１】本願発明の実施形態に係るアクティブアンテナシステムにおけるアンテナ分割方法のフローチャートである。
【００５０】
【図２】本願発明の他の実施形態に係るアクティブアンテナシステムにおけるアンテナ分割方法のフローチャートである。
【００５１】
【図３】本願発明のさらに他の実施形態に係るアクティブアンテナシステムにおけるアンテナ分割方法のフローチャートである。
【００５２】
【図４】本願発明の実施形態に記載のコントローラの構造を示すブロック図である。
【００５３】
【図５】本願発明の他の実施形態に記載のコントローラの構造を示すブロック図である。
【００５４】
【図６】本願発明のさらに他の実施形態に係るコントローラの構造を示すブロック図である。
【００５５】
【図７】本願発明のさらに他の実施形態に係るコントローラの構造を示すブロック図である。
【発明を実施するための形態】
【００５６】
添付の複数の図面を参照し、本願発明の様々な例示的な実施形態、特徴、および態様が以下に詳細に説明される。添付の複数の図面における同じ参照番号は、同じ、または同様の機能を有する要素を表す。複数の実施形態の様々な態様が添付の複数の図面に示されているが、異なるように特定されていない限り、添付の複数の図面は縮尺通りに描写されているとは限らない。
【００５７】
本明細書において「例示的な」という用語は、「例または実施形態として用いられる、または実例となる」ことを意味する。「例示的な」ものとして説明されている如何なる実施形態も、他の実施形態より好ましい、またはより良好であるものとして説明される必要はない。
【００５８】
加えて、本願発明のより良好な説明のために、以下の特定の複数の実施形態において多くの詳細が提供される。当業者は、これらの特定の詳細なしでも本願発明が依然として実装され得ることを理解すべきである。いくつかの他の例において、本願発明の主題を強調するよう、周知の方法、手段、要素、および回路が詳細には説明されていない。
【００５９】
ＡＡＳアンテナは、複数のやり方、例えば、垂直分割および水平分割で分割され得る。ＡＡＳアンテナの垂直分割は主に、異なる複数のエリアをカバーする２つのビームがＡＡＳアンテナの鉛直方向の面上に形成され、１つのセルが２つのセルに分割されるよう、ＡＡＳアンテナの鉛直方向の面上でビーム形成が実装されることを指す。この場合、２つのセルは同じ周波数チャネル番号を有するが、ＡＡＳアンテナは、異なる複数のダウンチルトを用いて近くの場所と遠くの場所とをカバーする。
【００６０】
ＡＡＳアンテナの垂直分割の技術により、１つのセルが２つのセルへと分割され、このことは、スペクトル資源を２倍にし、容量を増加させ得る。しかし、１つのセルが２つのセルに分割された後、干渉が増加し、電力が半分に減少し得る（カバレッジが不十分になる）ので、スペクトル効率は著しく低下し得る。ゆえに、不適切な分割が選択された場合、分割の後に得られる２つのセルの合計容量は、１つのセルの元の容量未満であり得る。ゆえに、本願により解消される必要がある課題は、ＡＡＳセルの容量を実質的に増加させるよう、適切なＡＡＳアンテナビームを如何に選択してＡＡＳセルを分割するか、ということである。
実施形態１
【００６１】
図１は、本願発明の実施形態に係るアクティブアンテナシステムにおけるアンテナ分割方法のフローチャートである。図１に示されているように、方法は主に以下の複数の段階を含み得る。
【００６２】
段階Ｓ１００
アクティブアンテナシステム（ＡＡＳ）セルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、最適化されたエリアの最大容量に対応する第１アンテナパラメータ組み合わせを取得する。
【００６３】
第１セルおよび第２セルは、ＡＡＳセルが事前分割された後に得られる２つのセルであり、最適化されたエリアはＡＡＳセルであり、またはＡＡＳセルと、ＡＡＳセルの少なくとも１つの近隣のセルとであり、第１アンテナパラメータ組み合わせは、第１セルの第１アンテナパラメータと、第２セルの第２アンテナパラメータとを含み、第１アンテナパラメータは、第１アンテナのダウンチルトと第１アンテナの送信電力とを含み、第２アンテナパラメータは、第２アンテナのダウンチルトと、第２アンテナの送信電力とを含む。
【００６４】
段階Ｓ１１０
取得された第１アンテナパラメータ組み合わせに従ってＡＡＳアンテナを分割する。
【００６５】
具体的に、複数のＡＡＳセルのためのコントロールセンター（以下、コントローラと呼ばれる）は、各ＡＡＳセルの負荷に関する閾値を設定し、閾値は、ＡＡＳセルの負荷に関する最高限度である。ＡＡＳセルの負荷が閾値を越えた時、ＡＡＳセルのユーザ体験は著しく低下するであろう。この場合、ＡＡＳセルは、ＡＡＳセルの負荷を低減すべく分割される必要がある。
【００６６】
ＡＡＳセル（以下、第１ＡＡＳセルと呼ばれる）の負荷が、コントローラにより設定された負荷閾値を超えたこと、つまり、ＡＡＳセルに大きな負荷がかかったことをコントローラが検出したとき、コントローラは、アンテナパラメータに対応するアンテナゲインに基づき、ＡＡＳアンテナパラメータが調整された後に得られるＡＡＳセルの容量を推定し得る。例えば、ＡＡＳアンテナが調整され、ＡＡＳセルが２つのセル、第１セルと第２セルとに分割されたと仮定する。第１セルは第１アンテナパラメータに対応し、第２セルは第２アンテナパラメータに対応する。第１アンテナパラメータは、第１アンテナのダウンチルトと、第１アンテナの送信電力とを含み、第２アンテナパラメータは、第２アンテナのダウンチルトと、第２アンテナの送信電力とを含む。第１アンテナパラメータと第２アンテナパラメータとは、ＡＡＳセルが分割された後に得られるアンテナパラメータ組み合わせを形成する。コントローラが、アンテナパラメータ組み合わせに従って、大きな負荷がかかったＡＡＳセルに対応するＡＡＳアンテナを分割するものと仮定する。コントローラは、ＡＡＳアンテナが分割される前のＡＡＳアンテナの、アンテナパラメータ組み合わせに対応するアンテナゲインに対するアンテナゲインに従って、最適化されたエリアにある各セルの負荷を推定し得る。本願において、最適化されたエリアはＡＡＳセルであり得、または、ＡＡＳセルと、当該ＡＡＳセルの近隣のセルであり得る。最適化されたエリアにある各セルの負荷がセルの帯域幅より大きくなく（セルに過負荷がかかっておらず）、ＡＡＳセルが分割された後に得られる第１セルおよび第２セルの負荷が、ＡＡＳセルが分割される前のＡＡＳセルの負荷未満である場合、コントローラは、最適化されたエリアの容量を計算し得、つまり、コントローラは、最適化されたエリアの、アンテナパラメータ組み合わせに対応する容量を得ることが出来る。
【００６７】
他のアンテナパラメータ組み合わせが用いられるとき、最適化されたエリアにあり、アンテナパラメータ組み合わせに対応するセルに過負荷がかかっておらず、ＡＡＳセルが分割された後に得られる第１セルおよび第２セルの負荷はＡＡＳセルが分割される前のＡＡＳセルの負荷未満である場合、コントローラは依然として、最適化されたエリアの容量を計算し得、つまり、コントローラは依然として、最適化されたエリアの、アンテナパラメータ組み合わせに対応する容量を得ることが出来る。
【００６８】
最適化されたエリアの全ての計算された容量値が比較されて、最大容量に対応するアンテナパラメータ組み合わせ、つまり、第１アンテナパラメータ組み合わせが取得される。可能な実施例において、最大容量値に対応するアンテナパラメータ組み合わせが取得されているとき、最適化されたエリアの、アンテナパラメータ組み合わせに対応するカバレッジカウンタを取得する段階も含まれ得、第１アンテナパラメータ組み合わせに対応する取得されたカバレッジカウンタも、最適化されたエリアのカバレッジカウンタがカバレッジカウンタ閾値より大きい、またはそれと等しいことを指すカバレッジ条件を満たすべきである。
【００６９】
最後に、コントローラは、第１アンテナパラメータ組み合わせに対応するビームに応じて、大きな負荷がかかったＡＡＳセルに対応するＡＡＳアンテナを分割し得る。
【００７０】
本願発明の本実施形態に係るアクティブアンテナシステムにおけるアンテナ分割方法において、ＡＡＳアンテナパラメータが調整された後の、最適化されたエリアにあるセルの負荷は、アンテナパラメータのゲインに応じて推定され得る。最適化されたエリアにあるセルに過負荷がかかっておらず、ＡＡＳセルが分割された後に得られる２つのセルの負荷が、ＡＡＳセルが分割される前のＡＡＳセルの負荷未満であるとき、コントローラは、最適化されたエリアの容量を再計算し得る。全ての計算された容量値が比較されて、最大容量に対応するアンテナパラメータ組み合わせが取得される。最後にコントローラは、アンテナパラメータ組み合わせに対応するビームに応じて、大きな負荷がかかったＡＡＳセルに対応するＡＡＳアンテナを分割し得る。本願発明の本実施形態に係るアクティブアンテナシステムにおけるアンテナ分割方法は、大きな負荷がかかったＡＡＳセルの負荷を実質的に低減させ得、最適化されたエリアの容量を実質的に増加させ得る。
実施形態２
【００７１】
図２は、本願発明の他の実施形態に係るアクティブアンテナシステムにおけるアンテナ分割方法のフローチャートである。図２と図１とにおける同じ参照番号を有する段階は、同じ機能を提供する。簡潔にするべく、これら段階の詳細な説明は省略される。
【００７２】
図２に示されているように、本実施形態と先述の実施形態との間の主な差は、先述の段階Ｓ１００が主に以下の段階を含み得ることにある。
【００７３】
段階Ｓ１００１
事前設定された期間に最適化されたエリアにあるユーザ機器により収集される測定情報を取得する。
【００７４】
段階Ｓ１００２
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る。
【００７５】
段階Ｓ１００３
測定情報の推定値に従って、最適化されたエリアの、各アンテナパラメータ組み合わせに対応する容量を計算する。
【００７６】
段階Ｓ１００４
最適化されたエリアの、各アンテナパラメータ組み合わせに対応する容量に従って、最適化されたエリアの最大容量に対応する第１アンテナパラメータ組み合わせを取得する。
【００７７】
先述の段階Ｓ１００１に関して、可能な実施例において、ＡＡＳセルに大きな負荷がかかっていることを検出したとき、コントローラは、ＡＡＳセルに対応する最適化されたエリアにあるユーザ機器が事前設定された期間にデータを収集することを引き起こし得る。データを収集するやり方は概して、最小化ドライブテスト（Ｍｉｎｉｍｉｚａｔｉｏｎ  Ｄｒｉｖｅ  Ｔｅｓｔ，ＭＤＴ）、またはドライブテスト（Ｄｒｉｖｅ  Ｔｅｓｔ，ＤＴ）により測定情報を報告することを含む。
【００７８】
可能な実施例において、先述の測定情報は主に、ユーザ機器の信号対干渉プラス雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ，ＳＩＮＲ）とスループットとを含む。先述の測定情報は、最適化されたエリアにあるユーザ機器の、大きな負荷がかかったＡＡＳセルが分割される前に収集された実際のデータである。
【００７９】
先述の段階Ｓ１００２に関して、コントローラはＡＡＳセルのアンテナパラメータを調整し得る。複数のＡＡＳアンテナパラメータを調整するための異なる複数のスキームに関して、異なる複数のアンテナパラメータ組み合わせが得られ得る。アンテナパラメータおよび複数のアンテナパラメータ組み合わせについての詳細に関しては、先述の実施形態の詳細な説明が参照され得る。ユーザ機器により報告された測定情報を取得した後に、コントローラは、各アンテナパラメータ組み合わせに対応するアンテナゲインに従って、先述の測定情報に基づき推定を実行して、測定情報の、各アンテナパラメータ組み合わせに対応する推定値を得ることが出来る。先述の測定情報がユーザ機器のＳＩＮＲとスループットとを主に含むとき、測定情報の、各アンテナパラメータ組み合わせに対応する得られた複数の推定値は具体的に、ＳＩＮＲの推定値とスループットの推定値とである。
【００８０】
段階Ｓ１００３に関して、測定情報の、各アンテナパラメータ組み合わせに対応する推定値が得られた後に、最適化されたエリアの、各アンテナパラメータ組み合わせに対応する容量が計算され得る。
【００８１】
可能な実施例において、先述の段階Ｓ１００３は以下の複数の段階を含み得る。
【００８２】
段階Ｓ１００３ａ
ＳＩＮＲの推定値およびスループットの推定値に従って、最適化されたエリアの、各アンテナパラメータ組み合わせに対応するリソースブロック（ＲＢ）使用状況および負荷差割合を計算する。
【００８３】
段階Ｓ１００３ｂ
リソースブロック（ＲＢ）使用状況および負荷差割合に従って、最適化されたエリアの、各アンテナパラメータ組み合わせに対応する容量を計算する。
【００８４】
先述の段階Ｓ１００３ａに関して、ユーザ機器により必要とされるＲＢの数は、ユーザ機器のスループットの、ユーザ機器のＳＩＮＲに対応する伝送効率に対する比であり、セルにおいて必要とされるＲＢの数は、セルにある全てのユーザ機器により必要とされるＲＢの和である。ゆえに、コントローラがＳＩＮＲおよびスループットの、アンテナパラメータ組み合わせに対応する推定値を得た後に、アンテナパラメータ組み合わせでユーザ機器により必要とされるＲＢの数は、ユーザ機器のスループットの推定値の、ユーザ機器のＳＩＮＲの推定値に対応する伝送効率に対する比に基づき得られ得、ゆえに、セルにより必要とされるＲＢの数が得られる。最適化されたエリアのＲＢ使用状況は、最適化されたエリアにある全てのセルにより必要とされるＲＢの和を、最適化されたエリアにある全てのセルの帯域幅に対応するＲＢの和により除することにより得られ得る。
【００８５】
最適化されたエリアにある全てのセルにより必要とされるＲＢの平均数は、最適化されたエリアにある全てのセルにより必要とされるＲＢの和を、最適化されたエリアにあるセルの合計数により除することにより得られ得、セルの負荷差割合は、セルにより必要とされるＲＢの数と、最適化されたエリアにある全てのセルにより必要とされるＲＢの平均数の推定値との間の差の絶対値として表され得る。ゆえに、最適化されたエリアの負荷差割合は、最適化されたエリアにある全てのセルの負荷差割合の和を、最適化されたエリアにあるセルの合計数により除することにより計算され得る。
【００８６】
先述の段階Ｓ１００３ｂに関して、可能な実施例において、最適化されたエリアの容量カウンタが、得られたＲＢ使用状況および最適化されたエリアの負荷差割合に従って、式１
【数２８】
2017502532.tif 000030
を用いることにより計算され得、
ｐは、最適化されたエリアのＲＢ使用状況であり、ｑは、最適化されたエリアの負荷差割合であり、ｋ１およびｋ２はそれぞれ、コントローラによって設定される最適化されたエリアのＲＢ使用状況の比率および最適化されたエリアの負荷差割合の比率であり、ｋ１＋ｋ２＝１であり、Ｇ１は、最適化されたエリアのより低い容量カウンタが、最適化されたエリアのより大きな容量を示す容量カウンタであり、式１の関数値を示す。
【００８７】
他のアンテナパラメータ組み合わせに関して、最適化されたエリアの、各アンテナパラメータ組み合わせに対応する容量カウンタは、先述の方法および式を用いることにより得られ得、ゆえに、最適化されたエリアの、各アンテナパラメータ組み合わせに対応する容量が得られ得る。
【００８８】
先述の段階Ｓ１００４に関して、最低容量カウンタに対応するアンテナパラメータ組み合わせ、つまり、最大容量に対応するアンテナパラメータ組み合わせは、全てのアンテナパラメータ組み合わせに対応する、先述の段階Ｓ１００３において計算される複数の容量カウンタを比較することにより取得され得る。
【００８９】
最後に、最大容量に対応するアンテナパラメータ組み合わせが取得された後に、コントローラは、アンテナパラメータ組み合わせ、つまり、第１アンテナパラメータ組み合わせに対応するビームに応じて大きな負荷がかかったＡＡＳセルにあるＡＡＳアンテナを分割し得る。
【００９０】
本願発明の本実施形態に係るアクティブアンテナシステムにおけるアンテナ分割方法において、ＡＡＳアンテナパラメータが調整された後の、最適化されたエリアにあるセルの負荷は、アンテナパラメータのゲインに応じて推定され得る。最適化されたエリアにあるセルに過負荷がかかっておらず、ＡＡＳセルが分割された後に得られる２つのセルの負荷が、ＡＡＳセルが分割される前のＡＡＳセルの負荷未満であるとき、コントローラは、最適化されたエリアの容量を再計算し得る。全ての計算された容量値が比較されて、最大容量に対応するアンテナパラメータ組み合わせが取得される。最後にコントローラは、アンテナパラメータ組み合わせに対応するビームに応じて、大きな負荷がかかったＡＡＳセルに対応するＡＡＳアンテナを分割し得る。本願発明の本実施形態に係るアクティブアンテナシステムにおけるアンテナ分割方法は、大きな負荷がかかったＡＡＳセルの負荷を実質的に低減させ得、最適化されたエリアの容量を実質的に増加させ得る。
実施形態３
【００９１】
図３は、本願発明のさらに他の実施形態に係るアクティブアンテナシステムにおけるアンテナ分割方法のフローチャートである。本実施形態に係るアクティブアンテナシステムにおけるアンテナ分割方法は主に、以下の複数の段階を含む。
【００９２】
段階Ｓ２００
アクティブアンテナシステム（ＡＡＳ）セルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、最適化されたエリアの最大容量に対応する第１アンテナパラメータ組み合わせを取得する。
【００９３】
第１セルおよび第２セルは、ＡＡＳセルが事前分割された後に得られる２つのセルであり、最適化されたエリアはＡＡＳセルであり、またはＡＡＳセルと、ＡＡＳセルの少なくとも１つの近隣のセルとであり、第１アンテナパラメータ組み合わせは、第１セルの第１アンテナパラメータと、第２セルの第２アンテナパラメータとを含み、第１アンテナパラメータは、第１アンテナのダウンチルトと第１アンテナの送信電力とを含み、第２アンテナパラメータは、第２アンテナのダウンチルトと、第２アンテナの送信電力とを含む。
【００９４】
段階Ｓ２１０
第１アンテナパラメータ組み合わせに従ってＡＡＳアンテナを分割する。
【００９５】
可能な実施例において、最大容量に対応し、段階２００において取得された第１アンテナパラメータ組み合わせは、最適化されたエリアのカバレッジカウンタがカバレッジカウンタ閾値より大きい、またはそれと等しいことを指すカバレッジ条件をさらに満たし得る。
【００９６】
可能な実施例において、先述の段階Ｓ２００は以下の複数の段階を含み得る。
【００９７】
段階Ｓ２００１
最適化されたエリアのカバレッジカウンタがカバレッジカウンタ閾値より大きい、またはそれと等しいことを指すカバレッジ条件を満たす複数のアンテナパラメータ組み合わせを取得する。
【００９８】
段階Ｓ２００２
最適化されたエリアの、カバレッジ条件を満たす複数のアンテナパラメータ組み合わせに対応する容量を計算して、最大容量に対応する第１アンテナパラメータ組み合わせを取得する。
【００９９】
先述の段階Ｓ２００１に関して、ＡＡＳセルのカバレッジカウンタは最も基本的なカウンタであるので、ＡＡＳセルにあるＡＡＳアンテナが調整された後のカバレッジが不十分な場合、ＡＡＳセルのユーザから不満が寄せられる可能性が非常に高い。ゆえに、コントローラはまず、最適化されたエリアのカバレッジカウンタを計算して、最適化されたエリアのカバレッジカウンタがカバレッジカウンタ閾値がコントローラにより設定されるカバレッジカウンタ閾値より大きい、またはそれと等しいことを指すカバレッジ条件を満たすアンテナパラメータ組み合わせを取得し得る。コントローラは、最適化されたエリアの計算されたカバレッジカウンタが設定されたカバレッジカウンタ閾値より大きい、またはそれに等しいときのみ、アンテナパラメータ組み合わせに対応するビームに応じてＡＡＳセルのアンテナを分割するかを検討する。
【０１００】
先述の段階Ｓ２００２に関して、全てのアンテナパラメータ組み合わせに対応する複数の容量を計算する必要はなく、カバレッジ条件を満たすアンテナパラメータ組み合わせに対応する容量のみ計算する必要がある。カバレッジ条件を満たし、段階Ｓ２００１において計算されたアンテナパラメータ組み合わせに関して、コントローラは直接的に、カバレッジ条件を満たす複数のアンテナパラメータ組み合わせに対応する複数の容量を計算して、最大容量に対応するアンテナパラメータ組み合わせを取得する。
【０１０１】
可能な実施例において、先述の段階Ｓ２００１は以下の複数の段階を含み得る。
【０１０２】
段階Ｓ２００１ａ
事前設定された期間に最適化されたエリアにあるユーザ機器により収集される測定情報を取得する。
【０１０３】
段階Ｓ２００１ｂ
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る。
【０１０４】
段階Ｓ２００１ｃ
測定情報の推定値に従って、最適化されたエリアの、各アンテナパラメータ組み合わせに対応するカバレッジカウンタを計算する。
【０１０５】
段階Ｓ２００１ｄ
全ての複数のアンテナパラメータ組み合わせに対応する計算された複数のカバレッジカウンタを、カバレッジカウンタ閾値と比較して、カバレッジ条件を満たす複数のアンテナパラメータ組み合わせを取得する。
【０１０６】
先述の段階Ｓ２００１ａおよびＳ２００１ｂに関して、ユーザ機器の測定情報は、測定情報の推定値を得るよう、先述の実施形態における段階Ｓ１００１および段階Ｓ１００２の方法をそれぞれ用いて取得および推定され得る。可能な実施例において、先述の段階Ｓ２００１ａにおいて取得された測定情報は、ユーザ機器のＳＩＮＲおよび基準信号受信電力（Ｒｅｆｅｒｅｎｃｅ  Ｓｉｇｎａｌ  Ｒｅｃｅｉｖｅｄ  Ｐｏｗｅｒ，ＲＳＲＰ）を含み得る。先述の段階Ｓ２００１ｂにおいて、具体的に、ＳＩＮＲおよびＲＳＲＰは、複数のアンテナパラメータ組み合わせを用いることにより推定されて、ＳＩＮＲの推定値およびＲＳＲＰの推定値が得られ得る。
【０１０７】
先述の段階Ｓ２００１ｃに関して、可能な実施例において、具体的に、最適化されたエリアの、各アンテナパラメータ組み合わせに対応するカバレッジカウンタは、ＲＳＲＰの推定値およびＳＩＮＲの推定値に従って計算され得る。
【０１０８】
可能な実施例において、カバレッジカウンタを計算するための式として式２
【数２９】
2017502532.tif 000031
が用いられ、
ｎは、最適化されたエリアの取得された測定情報の数であり、ｉ＝１，２，・・・，ｎであり、ｉは整数であり、
【数３０】
2017502532.tif 000032
および
【数３１】
2017502532.tif 000033
はそれぞれ、ＲＳＲＰの推定値およびＳＩＮＲの推定値であり、
【数３２】
2017502532.tif 000034
および
【数３３】
2017502532.tif 000035
はそれぞれ、コントローラによって設定されるＲＳＲＰ閾値およびＳＩＮＲ閾値であり、ｋ３およびｋ４はそれぞれ、コントローラによって設定されるＲＳＲＰの比率およびＳＩＮＲの比率であり、ｋ３＋ｋ４＝１であり、
【数３４】
2017502532.tif 000036
であるとき、
【数３５】
2017502532.tif 000037
は１であり、そうでないとき、
【数３６】
2017502532.tif 000038
は０であり、Ｆ１はカバレッジカウンタである。
【０１０９】
最適化されたエリアの、各アンテナパラメータ組み合わせに対応するカバレッジカウンタは、先述の式２を用いることにより計算され得る。
【０１１０】
先述の段階Ｓ２００１ｄに関して、全ての複数のアンテナパラメータ組み合わせのそれぞれに対応し、式２を用いることにより計算されるカバレッジカウンタは、カバレッジカウンタ閾値と比較されて、カバレッジ条件を満たすアンテナパラメータ組み合わせが取得され得、つまり、最適化されたエリアのカバレッジカウンタがカバレッジカウンタ閾値より大きい、またはそれと等しいときのアンテナパラメータ組み合わせが取得され得る。
【０１１１】
可能な実施例において、先述の段階Ｓ２００１ａにおいて取得された測定情報は、ユーザ機器のスループットを含み得る。先述の段階Ｓ２００１ｂにおいて、具体的に、スループットも、複数のアンテナパラメータ組み合わせを用いることにより推定されて、スループットの推定値が得られ得る。先述の段階Ｓ２００２に関して、具体的に、最適化されたエリアの、カバレッジ条件を満たす各アンテナパラメータ組み合わせに対応するリソースブロック（ＲＢ）使用状況および負荷差割合が、ＳＩＮＲの推定値およびスループットの推定値に従って計算され得る、そして、カバレッジ条件を満たす各アンテナパラメータ組み合わせに対応する容量は別々に計算され得る。
【０１１２】
例えば、最適化されたエリアの容量カウンタが、先述の式１を用いることにより計算され得る。より低い容量カウンタはより大きな容量を示す。ゆえに、最適化されたエリアの、式１を用いることにより計算される容量カウンタの最大値は、最適化されたエリアの最大容量値を示す。最大容量値に対応するアンテナパラメータ組み合わせが第１アンテナパラメータ組み合わせである。
【０１１３】
先述の実施形態における最大容量値に対応する第１アンテナパラメータ組み合わせを取得するための方法は以下の通りであることに留意されるべきである。まず、最適化されたエリアの、アンテナパラメータ組み合わせに対応するカバレッジカウンタを計算し、そして、最大容量に対応する第１アンテナパラメータ組み合わせを取得するよう、最適化されたエリアの、[0]カバレッジ条件を満たすアンテナパラメータ組み合わせに対応する容量を計算する。当業者は、最大容量値に対応する第１アンテナパラメータ組み合わせを取得するための方法は以下の通りでもあり得ることを容易に予期し得る。まず、最適化されたエリアの、アンテナパラメータ組み合わせに対応する容量を計算し、そして、計算された容量に従って、カバレッジ条件を満たす複数のアンテナパラメータ組み合わせの、最適化されたエリアの最大容量に対応する第１アンテナパラメータ組み合わせを取得する。つまり、可能な実施例において、最適化されたエリアの最大容量に対応する第１アンテナパラメータ組み合わせを取得する段階は、
事前設定された期間に最適化されたエリアにあるユーザ機器により収集される測定情報を取得する段階と、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階と、
測定情報の推定値に従って、最適化されたエリアの、各アンテナパラメータ組み合わせに対応する容量を計算する段階と、
最適化されたエリアの、各アンテナパラメータ組み合わせに対応する計算された容量に従って、最適化されたエリアのカバレッジカウンタがカバレッジカウンタ閾値より大きい、またはそれと等しいことを指すカバレッジ条件を満たす複数のアンテナパラメータ組み合わせの、最適化されたエリアの最大容量に対応する第１アンテナパラメータ組み合わせを取得する段階と
を主に含み得る。
【０１１４】
最後に、コントローラは、最大容量に対応する取得されたアンテナパラメータ組み合わせに対応するビームに応じて、大きな負荷がかかったＡＡＳセルに対応するＡＡＳアンテナを分割する。
【０１１５】
本願発明の本実施形態に係るアクティブアンテナシステムにおけるアンテナ分割方法において、ＡＡＳアンテナパラメータが調整された後の、最適化されたエリアにあるセルの負荷は、アンテナパラメータのゲインに応じて推定され得る。最適化されたエリアにあるセルに過負荷がかかっておらず、ＡＡＳセルが分割された後に得られる２つのセルの負荷が、ＡＡＳセルが分割される前のＡＡＳセルの負荷未満であるとき、コントローラはまず、最適化されたエリアのカバレッジカウンタを計算し得、カバレッジカウンタがカバレッジ条件を満たすとき、最適化されたエリアの、カバレッジ条件を満たすアンテナパラメータ組み合わせに対応する容量を計算し得る。全ての計算された容量値が比較されて、最大容量に対応するアンテナパラメータ組み合わせが取得される。コントローラはまず、最適化されたエリアの容量も計算し得、そして、最適化されたエリアの計算された容量に従って、カバレッジ条件を満たす複数のアンテナパラメータ組み合わせの、最適化されたエリアの最大容量に対応するアンテナパラメータ組み合わせを取得し得る。
最後に、コントローラは、取得されたアンテナパラメータ組み合わせに対応するビームに応じて、大きな負荷がかかったＡＡＳセルに対応するＡＡＳアンテナを分割し得る。最適化されたエリアがカバレッジ条件を満たす場合、本願発明の本実施形態に係るアクティブアンテナシステムにおけるアンテナ分割方法は、大きな負荷がかかったＡＡＳセルの負荷を実質的に低減させ、最適化されたエリアの容量を実質的に増加させ得る。
実施形態４
【０１１６】
図４は、本願発明の実施形態に記載のコントローラの構造を示すブロック図である。コントローラ４０は、アクティブアンテナシステムに主に適用される。図４に示されているように、コントローラは主に、取得ユニット４１と分割モジュール４２とを含み得る。
【０１１７】
取得ユニット４１は主に、アクティブアンテナシステム（ＡＡＳ）セルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、最適化されたエリアの最大容量に対応する第１アンテナパラメータ組み合わせを取得するよう構成され、第１セルおよび第２セルは、ＡＡＳセルが事前分割された後に得られる２つのセルであり、最適化されたエリアはＡＡＳセルであり、またはＡＡＳセルと、ＡＡＳセルの少なくとも１つの近隣のセルとであり、第１アンテナパラメータ組み合わせは、第１セルの第１アンテナパラメータと、第２セルの第２アンテナパラメータとを含み、第１アンテナパラメータは、第１アンテナのダウンチルトと第１アンテナの送信電力とを含み、第２アンテナパラメータは、第２アンテナのダウンチルトと、第２アンテナの送信電力とを含む。
【０１１８】
分割ユニット４２は取得ユニット４１に接続され、主に、第１アンテナパラメータ組み合わせに従ってＡＡＳアンテナを分割するよう構成される。
【０１１９】
本願発明の本実施形態に係るコントローラは具体的に、先述の実施形態１におけるアクティブアンテナシステムにおけるアンテナ分割方法を実行するよう構成され得る。実施形態１におけるアクティブアンテナシステムにおけるアンテナ分割方法の詳細については、先述の実施形態が参照され得る。
【０１２０】
本願発明の本実施形態において提供されるコントローラによると、アクティブアンテナシステムＡＡＳセルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、取得ユニットが、最適化されたエリアの最大容量に対応するアンテナパラメータ組み合わせを取得するのに用いられ得、分割ユニットが、取得ユニットにより取得されたアンテナパラメータ組み合わせに対応するビームに応じてＡＡＳアンテナを分割し得る。本願発明の本実施形態において提供されるコントローラは、大きな負荷がかかったＡＡＳセルの負荷を実質的に低減させ、最適化されたエリアの容量を実質的に増加させ得る。
実施形態５
【０１２１】
図５は、本願発明の他の実施形態に記載のコントローラの構造を示すブロック図である。図５と図４とにおいて同じ参照番号を有する構成要素は、同じ機能を提供する。簡潔にすべく、これら構成要素の詳細な説明は省略される。
【０１２２】
図５に示されているように、本実施形態におけるコントローラ５０と、先述の実施形態におけるコントローラ４０との間の主な差は、取得ユニット４１が具体的に、第１取得サブユニット４１１と、第１推定サブユニット４１２と、第１容量計算サブユニット４１３と、第２取得サブユニット４１４とを含み得ることにある。
【０１２３】
第１取得サブユニット４１１は主に、事前設定された期間に最適化されたエリアにあるユーザ機器により収集される測定情報を取得するよう構成される。第１推定サブユニット４１２は主に、複数のアンテナパラメータ組み合わせを用いることにより測定情報に基づき推定を実行して、測定情報の、複数のアンテナパラメータ組み合わせのうち各アンテナパラメータ組み合わせに対応する推定値を得るよう構成される。第１容量計算サブユニット４１３は主に、測定情報の推定値に従って、最適化されたエリアの、各アンテナパラメータ組み合わせに対応する容量を計算するよう構成される。第２取得サブユニット４１４は主に、最適化されたエリアの、各アンテナパラメータ組み合わせに対応する、第１容量計算サブユニット４１３により計算された容量に従って、最適化されたエリアの最大容量に対応する第１アンテナパラメータ組み合わせを取得するよう構成される。
【０１２４】
可能な実施例において、測定情報は、ユーザ機器の信号対干渉プラス雑音比ＳＩＮＲとスループットとを含み、
第１推定サブユニット４１２は具体的に、複数のアンテナパラメータ組み合わせを用いることによりＳＩＮＲおよびスループットに基づき推定を実行して、複数のアンテナパラメータ組み合わせのうち各アンテナパラメータ組み合わせに対応するＳＩＮＲの推定値とスループットの推定値とを得るよう構成される。
【０１２５】
可能な実施例において、第１容量計算サブユニット４１３は具体的に、
第１推定サブユニット４１２により得られたＳＩＮＲの推定値およびスループットの推定値に従って、最適化されたエリアの、各アンテナパラメータ組み合わせに対応するリソースブロック（ＲＢ）使用状況および負荷差割合を計算し、
リソースブロック（ＲＢ）使用状況および負荷差割合に従って、最適化されたエリアの、各アンテナパラメータ組み合わせに対応する容量を計算する
よう構成される。
【０１２６】
可能な実施例において、最適化されたエリアの容量カウンタが、式１
【数３７】
2017502532.tif 000039
を用いることにより計算され得、
ｐは、最適化されたエリアのＲＢ使用状況であり、ｑは、最適化されたエリアの負荷差割合であり、ｋ１およびｋ２はそれぞれ、コントローラによって設定される最適化されたエリアのＲＢ使用状況の比率および最適化されたエリアの負荷差割合の比率であり、ｋ１＋ｋ２＝１であり、Ｇ１は、最適化されたエリアのより低い容量カウンタが、最適化されたエリアのより大きな容量を示す容量カウンタであり、式１の関数値を示す。
【０１２７】
本願発明の本実施形態に係るコントローラ５０は具体的に、先述の実施形態２におけるアクティブアンテナシステムにおけるアンテナ分割方法を実行するよう構成され得る。実施形態２におけるアクティブアンテナシステムにおけるアンテナ分割方法の詳細については、先述の実施形態が参照され得る。
【０１２８】
本願発明の本実施形態において提供されるコントローラによると、アクティブアンテナシステム（ＡＡＳ）セルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、第１取得サブユニットは、事前設定された期間に最適化されたエリアにあるユーザ機器により収集される測定情報を取得するよう構成され、第１推定サブユニットは、複数のアンテナパラメータ組み合わせを用いることにより測定情報に基づき推定を実行して、測定情報の推定値を得るよう構成され、第１容量計算サブユニットは主に、測定情報の推定値に従って、最適化されたエリアの、各アンテナパラメータ組み合わせに対応する容量を計算するよう構成され、第２取得サブユニットは主に、全ての複数のアンテナパラメータ組み合わせに対応し、第１容量計算サブユニットにより計算された複数の容量を比較して、最大容量に対応するアンテナパラメータ組み合わせを取得するよう構成され、分割ユニットは、取得ユニットにより取得された第アンテナパラメータ組み合わせに従ってＡＡＳアンテナを分割し得る。本願発明の本実施形態において提供されるコントローラは、大きな負荷がかかったＡＡＳセルの負荷を実質的に低減させ、最適化されたエリアの容量を実質的に増加させ得る。
実施形態６
【０１２９】
図６は、本願発明のさらに他の実施形態に係るコントローラの構造を示すブロック図である。図６に示されているように、本実施形態におけるコントローラ６０は主に、取得ユニット５１と分割ユニット５２とを含み得る。
【０１３０】
取得ユニット５１は主に、アクティブアンテナシステム（ＡＡＳ）セルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、最適化されたエリアの最大容量に対応する第１アンテナパラメータ組み合わせを取得するよう構成され、第１セルおよび第２セルは、ＡＡＳセルが事前分割された後に得られる２つのセルであり、最適化されたエリアはＡＡＳセルであり、またはＡＡＳセルと、ＡＡＳセルの少なくとも１つの近隣のセルとであり、第１アンテナパラメータ組み合わせは、第１セルの第１アンテナパラメータと、第２セルの第２アンテナパラメータとを含み、第１アンテナパラメータは、第１アンテナのダウンチルトと第１アンテナの送信電力とを含み、第２アンテナパラメータは、第２アンテナのダウンチルトと、第２アンテナの送信電力とを含む。
【０１３１】
分割ユニット５２は取得ユニット５１に接続され、主に、第１アンテナパラメータ組み合わせに従ってＡＡＳアンテナを分割するよう構成される。
【０１３２】
可能な実施例において、最適化されたエリアの、第１アンテナパラメータ組み合わせに対応するカバレッジカウンタはカバレッジカウンタ閾値より大きい、またはそれと等しい。
【０１３３】
可能な実施例において、取得ユニット５１はまず、カバレッジカウンタを計算し、そして容量を計算し得る。このように、取得ユニット５１は主に、第３取得サブユニット５１１と第４取得サブユニット５１２とを含み得る。第３取得サブユニット５１１は主に、最適化されたエリアのカバレッジカウンタがカバレッジカウンタ閾値より大きい、またはそれと等しいことを指すカバレッジ条件を満たす複数のアンテナパラメータ組み合わせを取得するよう構成される。第４取得サブユニット５１２は主に、最適化されたエリアの、カバレッジ条件を満たす複数のアンテナパラメータ組み合わせに対応する容量を計算して、最大容量に対応する第１アンテナパラメータ組み合わせを取得するよう構成される。
【０１３４】
可能な実施例において、第３取得サブユニット５１１は主に、第５取得サブユニット５１１ａと、第２推定サブユニット５１１ｂと、第２カバレッジ計算サブユニット５１１ｃと、第６取得サブユニット５１１ｄとを含み得る。第５取得サブユニット５１１ａは主に、事前設定された期間に最適化されたエリアにあるユーザ機器により収集される測定情報を取得するよう構成される。第２推定サブユニット５１１ｂは主に、複数のアンテナパラメータ組み合わせを用いることにより測定情報に基づき推定を実行して、測定情報の、複数のアンテナパラメータ組み合わせのうち各アンテナパラメータ組み合わせに対応する推定値を得るよう構成される。第２カバレッジ計算サブユニット５１１ｃは主に、測定情報の推定値に従って、最適化されたエリアの、各アンテナパラメータ組み合わせに対応するカバレッジカウンタを計算するよう構成される。第６取得サブユニット５１１ｄは主に、全ての複数のアンテナパラメータ組み合わせに対応する計算された複数のカバレッジカウンタを、カバレッジカウンタ閾値と比較して、カバレッジ条件を満たす複数のアンテナパラメータ組み合わせを取得するよう構成される。
【０１３５】
可能な実施例において、測定情報は、ユーザ機器のＳＩＮＲと基準信号受信電力（ＲＳＲＰ）とを含み、
第２推定サブユニット５１１ｂは具体的に、
複数のアンテナパラメータ組み合わせを用いることによりＳＩＮＲおよびＲＳＲＰに基づき推定を実行して、複数のアンテナパラメータ組み合わせのうち各アンテナパラメータ組み合わせに対応するＳＩＮＲの推定値とＲＳＲＰの推定値とを得るよう構成され、
第２カバレッジ計算サブユニット５１１ｃは具体的に、ＳＩＮＲの推定値およびＲＳＲＰの推定値に従って、最適化されたエリアの、各アンテナパラメータ組み合わせに対応するカバレッジカウンタを計算するよう構成される。
【０１３６】
可能な実施例において、測定情報は、ユーザ機器のスループットをさらに含み、
第２推定サブユニット５１１ｂは具体的に、複数のアンテナパラメータ組み合わせを用いることによりスループットに基づき推定を実行して、スループットの、複数のアンテナパラメータ組み合わせのうち各アンテナパラメータ組み合わせに対応する推定値を得るようさらに構成され、
第４取得サブユニット５１２は具体的に、
ＳＩＮＲの推定値およびスループットの推定値に従って、最適化されたエリアの、カバレッジ条件を満たす各アンテナパラメータ組み合わせに対応するリソースブロック（ＲＢ）使用状況および負荷差割合を計算し、
ＲＢ使用状況および負荷差割合に従って、最適化されたエリアの、カバレッジ条件を満たす各アンテナパラメータ組み合わせに対応する容量を計算して、最大容量に対応するアンテナパラメータ組み合わせを取得する
よう構成される。
【０１３７】
可能な実施例において、また取得ユニット５１は、容量を計算し、そしてカバレッジカウンタを計算し得る。このように、取得ユニット５１は具体的に、
事前設定された期間に最適化されたエリアにあるユーザ機器により収集される測定情報を取得し、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得、
測定情報の推定値に従って、最適化されたエリアの、各アンテナパラメータ組み合わせに対応する容量を計算し、
最適化されたエリアの、各アンテナパラメータ組み合わせに対応する、第３容量計算サブユニットにより計算される容量に従って、最適化されたエリアのカバレッジカウンタがカバレッジカウンタ閾値より大きい、またはそれと等しいことを指すカバレッジ条件を満たす複数のアンテナパラメータ組み合わせの、最適化されたエリアの最大容量に対応する第１アンテナパラメータ組み合わせを取得する
よう構成される。
【０１３８】
可能な実施例において、最適化されたエリアの容量カウンタは、式１
【数３８】
2017502532.tif 000040
を用いることにより得られ、
ｐは、最適化されたエリアのＲＢ使用状況であり、ｑは、最適化されたエリアの負荷差割合であり、ｋ１およびｋ２はそれぞれ、最適化されたエリアのＲＢ使用状況の比率および最適化されたエリアの負荷差割合の比率であり、ｋ１＋ｋ２＝１であり、Ｇ１は、より低い容量カウンタがより大きな容量を示す容量カウンタである。
【０１３９】
可能な実施例において、カバレッジカウンタを計算するための式として式２
【数３９】
2017502532.tif 000041
が用いられ、
ｎは、最適化されたエリアの取得された測定情報の数であり、ｉ＝１，２，・・・，ｎであり、ｉは整数であり、
【数４０】
2017502532.tif 000042
および
【数４１】
2017502532.tif 000043
はそれぞれ、ＲＳＲＰの推定値およびＳＩＮＲの推定値であり、
【数４２】
2017502532.tif 000044
および
【数４３】
2017502532.tif 000045
はそれぞれ、ＲＳＲＰ閾値およびＳＩＮＲ閾値であり、ｋ３およびｋ４はそれぞれ、ＲＳＲＰの比率およびＳＩＮＲの比率であり、ｋ３＋ｋ４＝１であり、
【数４４】
2017502532.tif 000046
であるとき、
【数４５】
2017502532.tif 000047
は１であり、そうでないとき、
【数４６】
2017502532.tif 000048
は０であり、Ｆ１はカバレッジカウンタである。
【０１４０】
本願発明の本実施形態に係るコントローラ６０は具体的に、先述の実施形態３におけるアクティブアンテナシステムにおけるアンテナ分割方法を実行するよう構成され得る。実施形態３におけるアクティブアンテナシステムにおけるアンテナ分割方法の詳細については、先述の実施形態が参照され得る。
【０１４１】
本願発明の本実施形態において提供されるコントローラによると、アクティブアンテナシステム（ＡＡＳ）セルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、取得ユニットがまず、カバレッジ条件を満たす最適化されたエリアのアンテナパラメータ組み合わせを取得し、そして、カバレッジ条件を満たす最適化されたエリアのアンテナパラメータ組み合わせに従って、最適化されたエリアの最大容量に対応するアンテナパラメータ組み合わせを取得し得る。コントローラはまず、最適化されたエリアの容量も計算し得、そして、最適化されたエリアの容量に従って、カバレッジ条件を満たす複数のアンテナパラメータ組み合わせの、最適化されたエリアの最大容量に対応するアンテナパラメータ組み合わせを取得し得る。最後に、分割ユニットは、取得ユニットにより取得された、最適化されたエリアの最大容量に対応するアンテナパラメータ組み合わせに対応するビームに応じてＡＡＳアンテナを分割し得る。本願発明の本実施形態において提供されるコントローラは、カバレッジ条件を満たし、最大容量値に対応するアンテナパラメータ組み合わせを用いることにより大きな負荷がかかったＡＡＳセルのアンテナを分割し、大きな負荷がかかったＡＡＳセルの負荷を実質的に低減させ、最適化されたエリアの容量を実質的に増加させ得る。
実施形態７
【０１４２】
図７は、本願発明のさらに他の実施形態に係るコントローラの構造を示すブロック図である。コントローラ７００は、演算処理可能なホストサーバ、パーソナルコンピュータ（ＰＣ）、ポータブルコンピュータ若しくは端末、または同様のものであり得る。コンピューティングノードの特定の実装は、本願発明の特定の実施形態において限定されない。
【０１４３】
コントローラ７００は、プロセッサ（プロセッサ）７１０と、通信インタフェース（Ｃｏｍｍｕｎｉｃａｔｉｏｎｓ  Ｉｎｔｅｒｆａｃｅ）７２０と、メモリ（ｍｅｍｏｒｙ）７３０と、バス７４０とを含む。プロセッサ７１０、通信インタフェース７２０、およびメモリ７３０はバス７４０を用いることにより互いに通信を行う。
【０１４４】
通信インタフェース７２０は、ネットワーク要素と通信を行うよう構成され、ネットワーク要素は、例えば、仮想マシン運用センターおよび共有メモリを含む。
【０１４５】
プロセッサ７１０は、プログラムを実行するよう構成される。プロセッサ７１０は、本願発明の実施形態を実装するよう構成された中央処理装置（ＣＰＵ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、または１または複数の集積回路であり得る。
【０１４６】
メモリ７３０はファイルを格納するよう構成される。メモリ７３０は高速ＲＡＭメモリを含み得、不揮発性メモリ（不揮発性メモリ）、例えば、少なくとも１つのディスクメモリをさらに含み得る。メモリ７３０はメモリアレイでもあり得る。メモリ７３０は複数のブロックに分割もされ得、それらブロックは、ルールに従って仮想ボリュームを形成するよう組み合わせられ得る。
【０１４７】
可能な実施例において、メモリ７３０は、コンピュータ演算命令を含むプログラムコードを格納し、プロセッサ７１０はメモリ７３０に格納されたプログラムコードを呼び出して、
アクティブアンテナシステム（ＡＡＳ）セルの負荷が負荷閾値より大きい、またはそれと等しいとき、最適化されたエリアにあるセルに過負荷がかかっておらず、第１セルの負荷がＡＡＳセルの負荷未満であり、第２セルの負荷がＡＡＳセルの負荷未満である場合、最適化されたエリアの最大容量に対応する第１アンテナパラメータ組み合わせを取得する段階であり、第１セルおよび第２セルは、ＡＡＳセルが事前分割された後に得られる２つのセルであり、最適化されたエリアはＡＡＳセルであり、またはＡＡＳセルと、ＡＡＳセルの少なくとも１つの近隣のセルとであり、第１アンテナパラメータ組み合わせは、第１セルの第１アンテナパラメータと、第２セルの第２アンテナパラメータとを含み、第１アンテナパラメータは、第１アンテナのダウンチルトと第１アンテナの送信電力とを含み、第２アンテナパラメータは、第２アンテナのダウンチルトと、第２アンテナの送信電力とを含む段階と、
第１アンテナパラメータ組み合わせに従ってＡＡＳアンテナを分割する段階と
を実行する。
【０１４８】
可能な実施例において、最適化されたエリアの最大容量に対応する第１アンテナパラメータ組み合わせを取得する段階は、
事前設定された期間に最適化されたエリアにあるユーザ機器により収集される測定情報を取得する段階と、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階と、
測定情報の推定値に従って、最適化されたエリアの、各アンテナパラメータ組み合わせに対応する容量を計算する段階と、
最適化されたエリアの、各アンテナパラメータ組み合わせに対応する容量に従って、最適化されたエリアの最大容量に対応する第１アンテナパラメータ組み合わせを取得する段階と
を有する。
【０１４９】
可能な実施例において、測定情報は、ユーザ機器の信号対干渉プラス雑音比ＳＩＮＲとスループットとを含み、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階は具体的に、複数のアンテナパラメータ組み合わせを用いることによりＳＩＮＲおよびスループットに基づき推定を実行して、複数のアンテナパラメータ組み合わせのうち各アンテナパラメータ組み合わせに対応するＳＩＮＲの推定値とスループットの推定値とを得る段階を含む。
【０１５０】
可能な実施例において、測定情報の推定値に従って、最適化されたエリアの、各アンテナパラメータ組み合わせに対応する容量を計算する段階は具体的に、
ＳＩＮＲの推定値およびスループットの推定値に従って、最適化されたエリアの、各アンテナパラメータ組み合わせに対応するリソースブロック（ＲＢ）使用状況および負荷差割合を計算する段階と、
ＲＢ使用状況および負荷差割合に従って、最適化されたエリアの、各アンテナパラメータ組み合わせに対応する容量を計算する段階と
を含む。
【０１５１】
可能な実施例において、最適化されたエリアの最大容量に対応する第１アンテナパラメータ組み合わせを取得する段階は、最適化されたエリアの、カバレッジカウンタ閾値より大きい、またはそれと等しい第１アンテナパラメータ組み合わせに対応するカバレッジカウンタをさらに有する。
【０１５２】
可能な実施例において、最適化されたエリアの最大容量に対応する第１アンテナパラメータ組み合わせを取得する段階は、
最適化されたエリアのカバレッジカウンタがカバレッジカウンタ閾値より大きい、またはそれと等しいことを指すカバレッジ条件を満たす複数のアンテナパラメータ組み合わせを取得する段階と、
最適化されたエリアの、カバレッジ条件を満たす複数のアンテナパラメータ組み合わせに対応する容量を計算して、最大容量に対応する第１アンテナパラメータ組み合わせを取得する段階と
を有する。
【０１５３】
可能な実施例において、カバレッジ条件を満たす複数のアンテナパラメータ組み合わせを取得する段階は、
事前設定された期間に最適化されたエリアにあるユーザ機器により収集される測定情報を取得する段階と、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階と、
測定情報の推定値に従って、最適化されたエリアの、各アンテナパラメータ組み合わせに対応するカバレッジカウンタを計算する段階と、
全ての複数のアンテナパラメータ組み合わせに対応する計算された複数のカバレッジカウンタを、カバレッジカウンタ閾値と比較して、カバレッジ条件を満たす複数のアンテナパラメータ組み合わせを取得する段階と
を含む。
【０１５４】
可能な実施例において、測定情報は、ユーザ機器のＳＩＮＲと基準信号受信電力（ＲＳＲＰ）とを含み、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階は具体的に、複数のアンテナパラメータ組み合わせを用いることによりＳＩＮＲおよびＲＳＲＰに基づき推定を実行して、複数のアンテナパラメータ組み合わせのうち各アンテナパラメータ組み合わせに対応するＳＩＮＲの推定値とＲＳＲＰの推定値とを得る段階を含み、
測定情報の推定値に従って、最適化されたエリアの、各アンテナパラメータ組み合わせに対応するカバレッジカウンタを計算する段階は具体的に、ＳＩＮＲの推定値およびＲＳＲＰの推定値に従って、最適化されたエリアの、各アンテナパラメータ組み合わせに対応するカバレッジカウンタを計算する段階を含む。
【０１５５】
可能な実施例において、測定情報は、ユーザ機器のスループットをさらに含み、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階は具体的に、複数のアンテナパラメータ組み合わせを用いることによりスループットに基づき推定を実行して、スループットの、複数のアンテナパラメータ組み合わせのうち各アンテナパラメータ組み合わせに対応する推定値を得る段階をさらに含み、
最適化されたエリアの、カバレッジ条件を満たす複数のアンテナパラメータ組み合わせに対応する容量を計算して、最大容量に対応する第１アンテナパラメータ組み合わせを取得する段階は具体的に、
ＳＩＮＲの推定値およびスループットの推定値に従って、最適化されたエリアの、カバレッジ条件を満たす各アンテナパラメータ組み合わせに対応するリソースブロック（ＲＢ）使用状況および負荷差割合を計算する段階と、
ＲＢ使用状況および負荷差割合に従って、最適化されたエリアの、カバレッジ条件を満たす各アンテナパラメータ組み合わせに対応する容量を計算して、最大容量に対応するアンテナパラメータ組み合わせを取得する段階と
を含む。
【０１５６】
可能な実施例において、最適化されたエリアの最大容量に対応する第１アンテナパラメータ組み合わせを取得する段階は、
事前設定された期間に最適化されたエリアにあるユーザ機器により収集される測定情報を取得する段階と、
複数のアンテナパラメータ組み合わせを用いることにより測定情報に基づき推定を実行して、測定情報の、複数のアンテナパラメータ組み合わせのうち各アンテナパラメータ組み合わせに対応する推定値を得る段階と、
測定情報の推定値に従って、最適化されたエリアの、各アンテナパラメータ組み合わせに対応する容量を計算する段階と、
最適化されたエリアの、各アンテナパラメータ組み合わせに対応する計算された容量に従って、最適化されたエリアのカバレッジカウンタがカバレッジカウンタ閾値より大きい、またはそれと等しいことを指すカバレッジ条件を満たす複数のアンテナパラメータ組み合わせの、最適化されたエリアの最大容量に対応する第１アンテナパラメータ組み合わせを取得する段階と
を有する。
【０１５７】
可能な実施例において、最適化されたエリアの容量カウンタは、式１
【数４７】
2017502532.tif 000049
を用いることにより得られ、
ｐは、最適化されたエリアのＲＢ使用状況であり、ｑは、最適化されたエリアの負荷差割合であり、ｋ１およびｋ２はそれぞれ、最適化されたエリアのＲＢ使用状況の比率および最適化されたエリアの負荷差割合の比率であり、ｋ１＋ｋ２＝１であり、Ｇ１は、より低い容量カウンタがより大きな容量を示す容量カウンタである。
【０１５８】
可能な実施例において、カバレッジカウンタを計算するための式として式２
【数４８】
2017502532.tif 000050
が用いられ、
ｎは、最適化されたエリアの取得された測定情報の数であり、ｉ＝１，２，・・・，ｎであり、ｉは整数であり、
【数４９】
2017502532.tif 000051
および
【数５０】
2017502532.tif 000052
はそれぞれ、ＲＳＲＰの推定値およびＳＩＮＲの推定値であり、
【数５１】
2017502532.tif 000053
および
【数５２】
2017502532.tif 000054
はそれぞれ、ＲＳＲＰ閾値およびＳＩＮＲ閾値であり、ｋ３およびｋ４はそれぞれ、ＲＳＲＰの比率およびＳＩＮＲの比率であり、ｋ３＋ｋ４＝１であり、
【数５３】
2017502532.tif 000055
であるとき、
【数５４】
2017502532.tif 000056
は１であり、そうでないとき、
【数５５】
2017502532.tif 000057
は０であり、Ｆ１はカバレッジカウンタである。
【０１５９】
当業者は、本明細書に説明されている複数の実施形態における例示的な複数のユニットおよびアルゴリズム段階が、電子ハードウェア、またはコンピュータソフトウェアと電子ハードウェアとの組み合わせにより実装され得ることを認識するかもしれない。それら機能がハードウェアにより実装されるか、ソフトウェアにより実装されるかは、複数の特定の応用、および技術的解決法の複数の設計制約条件に依存する。当業者は、特定の応用のために、説明されているそれら機能を実装する異なる複数の方法を選択し得るが、その実装が本願発明の範囲を超えるものとは見なされるべきではない。
【０１６０】
それら機能がコンピュータソフトウェアの形態で実装され、独立した製品として販売される、または用いられた場合、本願発明の技術的解決法の全てまたは一部（例えば、従来技術に貢献する部分）がコンピュータソフトウェア製品の形態で実装されたものとある程度見なされ得る。コンピュータソフトウェア製品は概して、コンピュータ可読記憶媒体に格納され、（パーソナルコンピュータ、サーバ、またはネットワークデバイス、および同様のものであり得る）コンピュータデバイスに、本願発明の複数の実施形態において説明されている複数の方法の複数の段階の全てまたは一部を実行するよう命令するためのいくつかの命令を含む。先述の記憶媒体は、ＵＳＢフラッシュドライブ、取り外し可能ハードディスク、読み取り専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、または光ディスクなどの、プログラムコードを格納し得る任意の媒体を含む。
【０１６１】
先述の説明は単に、本願発明の特定の複数の実施形態であり、本願発明の保護範囲を限定することを意図されていない。本願発明において開示される技術範囲内で当業者により容易に理解される如何なる変更または置き換えも、本願発明の保護範囲に含まれる。ゆえに、本願発明の保護範囲は、請求項の保護範囲の対象となる。
【図１】
2017502532.tif 000076
【図２】
2017502532.tif 000077
【図３】
2017502532.tif 000078
【図４】
2017502532.tif 000079
【図５】
2017502532.tif 000080
【図６】
2017502532.tif 000081
【図７】
2017502532.tif 000082
【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
アクティブアンテナシステム（ＡＡＳ）セルの負荷が負荷閾値より大きい、またはそれと等しいとき、最適化されたエリアにあるセルに過負荷がかかっておらず、第１セルの負荷が前記ＡＡＳセルの前記負荷未満であり、第２セルの負荷が前記ＡＡＳセルの前記負荷未満である場合、前記最適化されたエリアの最大容量に対応する第１アンテナパラメータ組み合わせを取得する段階であり、前記第１セルおよび前記第２セルは、前記ＡＡＳセルが事前分割された後に得られる２つのセルであり、前記最適化されたエリアは前記ＡＡＳセルであり、または前記ＡＡＳセルと、前記ＡＡＳセルの少なくとも１つの近隣のセルとであり、前記第１アンテナパラメータ組み合わせは、前記第１セルの第１アンテナパラメータと、前記第２セルの第２アンテナパラメータとを含み、前記第１アンテナパラメータは、第１アンテナのダウンチルトと前記第１アンテナの送信電力とを含み、前記第２アンテナパラメータは、第２アンテナのダウンチルトと、前記第２アンテナの送信電力とを含む段階と、
前記第１アンテナパラメータ組み合わせに従ってＡＡＳアンテナを分割する段階と
を備える、アクティブアンテナシステムにおけるアンテナ分割方法。
【請求項２】
前記最適化されたエリアの最大容量に対応する第１アンテナパラメータ組み合わせを取得する前記段階は、
事前設定された期間に前記最適化されたエリアにあるユーザ機器により収集される測定情報を取得する段階と、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得る段階と、
前記測定情報の前記推定値に従って、前記最適化されたエリアの、各アンテナパラメータ組み合わせに対応する容量を計算する段階と、
前記最適化されたエリアの、各アンテナパラメータ組み合わせに対応する前記容量に従って、前記最適化されたエリアの前記最大容量に対応する前記第１アンテナパラメータ組み合わせを取得する段階と
を有する、請求項１に記載のアクティブアンテナシステムにおけるアンテナ分割方法。
【請求項３】
前記測定情報は、前記ユーザ機器の信号対干渉プラス雑音比（ＳＩＮＲ）とスループットとを含み、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得る前記段階は具体的に、前記複数のアンテナパラメータ組み合わせを用いることにより前記ＳＩＮＲおよび前記スループットに基づき推定を実行して、前記ＳＩＮＲの推定値と、前記複数のアンテナパラメータ組み合わせのうち各アンテナパラメータ組み合わせに対応する前記スループットの推定値とを得る段階を含む、請求項２に記載のアクティブアンテナシステムにおけるアンテナ分割方法。
【請求項４】
前記測定情報の前記推定値に従って、前記最適化されたエリアの、各アンテナパラメータ組み合わせに対応する容量を計算する前記段階は具体的に、
前記ＳＩＮＲの前記推定値および前記スループットの前記推定値に従って、前記最適化されたエリアの、各アンテナパラメータ組み合わせに対応するリソースブロック（ＲＢ）使用状況および負荷差割合を計算する段階と、
前記ＲＢ使用状況および前記負荷差割合に従って、前記最適化されたエリアの、各アンテナパラメータ組み合わせに対応する前記容量を計算する段階と
を含む、請求項３に記載のアクティブアンテナシステムにおけるアンテナ分割方法。
【請求項５】
前記ＲＢ使用状況および前記負荷差割合に従って、前記最適化されたエリアの、各アンテナパラメータ組み合わせに対応する前記容量を計算する前記段階は、
【数７４】
2017502532.tif 000083
に基づき、前記最適化されたエリアの容量カウンタを計算する段階を含み、
ｐは、前記最適化されたエリアの前記ＲＢ使用状況であり、ｑは、前記最適化されたエリアの前記負荷差割合であり、ｋ１およびｋ２はそれぞれ、前記最適化されたエリアの前記ＲＢ使用状況の比率および前記最適化されたエリアの前記負荷差割合の比率であり、ｋ１＋ｋ２＝１であり、Ｇ１は、より低い容量カウンタがより大きな容量を示す前記容量カウンタである、請求項４に記載のアクティブアンテナシステムにおけるアンテナ分割方法。
【請求項６】
アクティブアンテナシステム（ＡＡＳ）セルの負荷が負荷閾値より大きい、またはそれと等しいとき、最適化されたエリアにあるセルに過負荷がかかっておらず、第１セルの負荷が前記ＡＡＳセルの前記負荷未満であり、第２セルの負荷が前記ＡＡＳセルの前記負荷未満である場合、前記最適化されたエリアの最大容量に対応する第１アンテナパラメータ組み合わせを取得する取得ユニットであり、前記第１セルおよび前記第２セルは、前記ＡＡＳセルが事前分割された後に得られる２つのセルであり、前記最適化されたエリアは前記ＡＡＳセルであり、または前記ＡＡＳセルと、前記ＡＡＳセルの少なくとも１つの近隣のセルとであり、前記第１アンテナパラメータ組み合わせは、前記第１セルの第１アンテナパラメータと、前記第２セルの第２アンテナパラメータとを含み、前記第１アンテナパラメータは、第１アンテナのダウンチルトと前記第１アンテナの送信電力とを含み、前記第２アンテナパラメータは、第２アンテナのダウンチルトと、前記第２アンテナの送信電力とを含む取得ユニットと、
前記第１アンテナパラメータ組み合わせに従ってＡＡＳアンテナを分割する分割ユニットと
を備える、コントローラ。
【請求項７】
前記取得ユニットは、
事前設定された期間に前記最適化されたエリアにあるユーザ機器により収集される測定情報を取得する第１取得サブユニットと、
複数のアンテナパラメータ組み合わせを用いることにより前記測定情報に基づき推定を実行して、前記測定情報の、前記複数のアンテナパラメータ組み合わせのうち各アンテナパラメータ組み合わせに対応する推定値を得る第１推定サブユニットと、
前記測定情報の前記推定値に従って、前記最適化されたエリアの、各アンテナパラメータ組み合わせに対応する容量を計算する第１容量計算サブユニットと、
前記最適化されたエリアの、各アンテナパラメータ組み合わせに対応する、前記第１容量計算サブユニットにより計算された前記容量に従って、前記最適化されたエリアの前記最大容量に対応する前記第１アンテナパラメータ組み合わせを取得する第２取得サブユニットと
を有する、請求項６に記載のコントローラ。
【請求項８】
前記測定情報は、前記ユーザ機器の信号対干渉プラス雑音比（ＳＩＮＲ）とスループットとを含み、
前記第１推定サブユニットは、前記複数のアンテナパラメータ組み合わせを用いることにより前記ＳＩＮＲおよび前記スループットに基づき推定を実行して、前記ＳＩＮＲの推定値と、前記複数のアンテナパラメータ組み合わせのうち各アンテナパラメータ組み合わせに対応する前記スループットの推定値とを得る、請求項７に記載のコントローラ。
【請求項９】
前記第１容量計算サブユニットは、
前記第１推定サブユニットによって得られた前記ＳＩＮＲの前記推定値および前記スループットの前記推定値に従って、前記最適化されたエリアの、各アンテナパラメータ組み合わせに対応するリソースブロックＲＢ使用状況および負荷差割合を計算し、
前記リソースブロック（ＲＢ）使用状況および前記負荷差割合に従って、前記最適化されたエリアの、各アンテナパラメータ組み合わせに対応する前記容量を計算する、請求項８に記載のコントローラ。
【請求項１０】
前記第１容量計算サブユニットは、
【数７５】
2017502532.tif 000084
に基づき、前記最適化されたエリアの容量カウンタを計算し、
ｐは、前記最適化されたエリアの前記ＲＢ使用状況であり、ｑは、前記最適化されたエリアの前記負荷差割合であり、ｋ１およびｋ２はそれぞれ、前記最適化されたエリアの前記ＲＢ使用状況の比率および前記最適化されたエリアの前記負荷差割合の比率であり、ｋ１＋ｋ２＝１であり、Ｇ１は、より低い容量カウンタがより大きな容量を示す前記容量カウンタである、請求項９に記載のコントローラ。
【請求項１１】
コンピュータに、請求項１から５のいずれか一項に記載の方法を実行させるプログラム。
【手続補正２】
【補正対象書類名】明細書
【補正対象項目名】０１６１
【補正方法】変更
【補正の内容】
【０１６１】
先述の説明は単に、本願発明の特定の複数の実施形態であり、本願発明の保護範囲を限定することを意図されていない。本願発明において開示される技術範囲内で当業者により容易に理解される如何なる変更または置き換えも、本願発明の保護範囲に含まれる。ゆえに、本願発明の保護範囲は、請求項の保護範囲の対象となる。
（項目１）
アクティブアンテナシステムＡＡＳセルの負荷が負荷閾値より大きい、またはそれと等しいとき、最適化されたエリアにあるセルに過負荷がかかっておらず、第１セルの負荷が上記ＡＡＳセルの上記負荷未満であり、第２セルの負荷が上記ＡＡＳセルの上記負荷未満である場合、上記最適化されたエリアの最大容量に対応する第１アンテナパラメータ組み合わせを取得する段階であり、上記第１セルおよび上記第２セルは、上記ＡＡＳセルが事前分割された後に得られる２つのセルであり、上記最適化されたエリアは上記ＡＡＳセルであり、または上記ＡＡＳセルと、上記ＡＡＳセルの少なくとも１つの近隣のセルとであり、上記第１アンテナパラメータ組み合わせは、上記第１セルの第１アンテナパラメータと、上記第２セルの第２アンテナパラメータとを含み、上記第１アンテナパラメータは、第１アンテナのダウンチルトと上記第１アンテナの送信電力とを含み、上記第２アンテナパラメータは、第２アンテナのダウンチルトと、上記第２アンテナの送信電力とを含む段階と、
上記第１アンテナパラメータ組み合わせに従ってＡＡＳアンテナを分割する段階と
を備える、アクティブアンテナシステムにおけるアンテナ分割方法。
（項目２）
上記最適化されたエリアの最大容量に対応する第１アンテナパラメータ組み合わせを取得する上記段階は、
事前設定された期間に上記最適化されたエリアにあるユーザ機器により収集される測定情報を取得する段階と、
複数のアンテナパラメータ組み合わせを用いることにより上記測定情報に基づき推定を実行して、上記測定情報の、上記複数のアンテナパラメータ組み合わせのうち各アンテナパラメータ組み合わせに対応する推定値を得る段階と、
上記測定情報の上記推定値に従って、上記最適化されたエリアの、各アンテナパラメータ組み合わせに対応する容量を計算する段階と、
上記最適化されたエリアの、各アンテナパラメータ組み合わせに対応する上記容量に従って、上記最適化されたエリアの上記最大容量に対応する上記第１アンテナパラメータ組み合わせを取得する段階と
を有する、項目１に記載のアクティブアンテナシステムにおけるアンテナ分割方法。
（項目３）
上記測定情報は、上記ユーザ機器の信号対干渉プラス雑音比ＳＩＮＲとスループットとを含み、
複数のアンテナパラメータ組み合わせを用いることにより上記測定情報に基づき推定を実行して、上記測定情報の、上記複数のアンテナパラメータ組み合わせのうち各アンテナパラメータ組み合わせに対応する推定値を得る上記段階は具体的に、上記複数のアンテナパラメータ組み合わせを用いることにより上記ＳＩＮＲおよび上記スループットに基づき推定を実行して、上記複数のアンテナパラメータ組み合わせのうち各アンテナ組み合わせに対応する上記ＳＩＮＲの推定値と上記スループットの推定値とを得る段階を含む、項目２に記載のアクティブアンテナシステムにおけるアンテナ分割方法。
（項目４）
上記測定情報の上記推定値に従って、上記最適化されたエリアの、各アンテナパラメータ組み合わせに対応する容量を計算する上記段階は具体的に、
上記ＳＩＮＲの上記推定値および上記スループットの上記推定値に従って、上記最適化されたエリアの、各アンテナパラメータ組み合わせに対応するリソースブロックＲＢ使用状況および負荷差割合を計算する段階と、
上記ＲＢ使用状況および上記負荷差割合に従って、上記最適化されたエリアの、各アンテナパラメータ組み合わせに対応する上記容量を計算する段階と
を含む、項目３に記載のアクティブアンテナシステムにおけるアンテナ分割方法。
（項目５）
上記最適化されたエリアの最大容量に対応する第１アンテナパラメータ組み合わせを取得する上記段階は、上記最適化されたエリアの、カバレッジカウンタ閾値より大きい、またはそれと等しい上記第１アンテナパラメータ組み合わせに対応するカバレッジカウンタをさらに有する、項目１に記載のアクティブアンテナシステムにおけるアンテナ分割方法。
（項目６）
上記最適化されたエリアの最大容量に対応する第１アンテナパラメータ組み合わせを取得する上記段階は、
上記最適化されたエリアの上記カバレッジカウンタが上記カバレッジカウンタ閾値より大きい、またはそれと等しいことを指すカバレッジ条件を満たす複数のアンテナパラメータ組み合わせを取得する段階と、
上記最適化されたエリアの、上記カバレッジ条件を満たす上記複数のアンテナパラメータ組み合わせに対応する上記容量を計算して、上記最大容量に対応する上記第１アンテナパラメータ組み合わせを取得する段階と
を有する、項目５に記載のアクティブアンテナシステムにおけるアンテナ分割方法。
（項目７）
カバレッジ条件を満たす複数のアンテナパラメータ組み合わせを取得する上記段階は、
事前設定された期間に上記最適化されたエリアにあるユーザ機器により収集される測定情報を取得する段階と、
複数のアンテナパラメータ組み合わせを用いることにより上記測定情報に基づき推定を実行して、上記測定情報の、上記複数のアンテナパラメータ組み合わせのうち各アンテナパラメータ組み合わせに対応する推定値を得る段階と、
上記測定情報の上記推定値に従って、上記最適化されたエリアの、各アンテナパラメータ組み合わせに対応するカバレッジカウンタを計算する段階と、
全ての上記複数のアンテナパラメータ組み合わせに対応する計算された複数のカバレッジカウンタを、上記カバレッジカウンタ閾値と比較して、上記カバレッジ条件を満たす上記複数のアンテナパラメータ組み合わせを取得する段階と
を含む、項目６に記載のアクティブアンテナシステムにおけるアンテナ分割方法。
（項目８）
上記測定情報は、上記ユーザ機器のＳＩＮＲと基準信号受信電力ＲＳＲＰとを含み、
複数のアンテナパラメータ組み合わせを用いることにより上記測定情報に基づき推定を実行して、上記測定情報の、上記複数のアンテナパラメータ組み合わせのうち各アンテナパラメータ組み合わせに対応する推定値を得る上記段階は具体的に、上記複数のアンテナパラメータ組み合わせを用いることにより上記ＳＩＮＲおよび上記ＲＳＲＰに基づき推定を実行して、上記複数のアンテナパラメータ組み合わせのうち各アンテナパラメータ組み合わせに対応する上記ＳＩＮＲの推定値と上記ＲＳＲＰの推定値とを得る段階を含み、
上記測定情報の上記推定値に従って、上記最適化されたエリアの、各アンテナパラメータ組み合わせに対応する上記カバレッジカウンタを計算する上記段階は具体的に、上記ＳＩＮＲの上記推定値および上記ＲＳＲＰの上記推定値に従って、上記最適化されたエリアの、各アンテナパラメータ組み合わせに対応する上記カバレッジカウンタを計算する段階を含む、項目７に記載のアクティブアンテナシステムにおけるアンテナ分割方法。
（項目９）
上記測定情報は、上記ユーザ機器のスループットをさらに含み、
複数のアンテナパラメータ組み合わせを用いることにより上記測定情報に基づき推定を実行して、上記測定情報の、上記複数のアンテナパラメータ組み合わせのうち各アンテナパラメータ組み合わせに対応する推定値を得る上記段階は具体的に、上記複数のアンテナパラメータ組み合わせを用いることにより上記スループットに基づき推定を実行して、上記スループットの、上記複数のアンテナパラメータ組み合わせのうち各アンテナパラメータ組み合わせに対応する推定値を得る段階をさらに含み、
上記最適化されたエリアの、上記カバレッジ条件を満たす上記複数のアンテナパラメータ組み合わせに対応する上記容量を計算して、上記最大容量に対応する上記第１アンテナパラメータ組み合わせを取得する上記段階は具体的に、
上記ＳＩＮＲの上記推定値および上記スループットの上記推定値に従って、上記最適化されたエリアの、上記カバレッジ条件を満たす各アンテナパラメータ組み合わせに対応するリソースブロックＲＢ使用状況および負荷差割合を計算する段階と、
上記ＲＢ使用状況および上記負荷差割合に従って、上記最適化されたエリアの、上記カバレッジ条件を満たす各アンテナパラメータ組み合わせに対応する上記容量を計算して、上記最大容量に対応するアンテナパラメータ組み合わせを取得する段階と
を含む、項目８に記載のアクティブアンテナシステムにおけるアンテナ分割方法。
（項目１０）
上記最適化されたエリアの最大容量に対応する第１アンテナパラメータ組み合わせを取得する上記段階は、
事前設定された期間に上記最適化されたエリアにあるユーザ機器により収集される測定情報を取得する段階と、
複数のアンテナパラメータ組み合わせを用いることにより上記測定情報に基づき推定を実行して、上記測定情報の、上記複数のアンテナパラメータ組み合わせのうち各アンテナパラメータ組み合わせに対応する推定値を得る段階と、
上記測定情報の上記推定値に従って、上記最適化されたエリアの、各アンテナパラメータ組み合わせに対応する容量を計算する段階と、
上記最適化されたエリアの、各アンテナパラメータ組み合わせに対応する計算された上記容量に従って、上記最適化されたエリアの上記カバレッジカウンタが上記カバレッジカウンタ閾値より大きい、またはそれと等しいことを指す上記カバレッジ条件を満たす複数のアンテナパラメータ組み合わせの、上記最適化されたエリアの最大容量に対応する上記第１アンテナパラメータ組み合わせを取得する段階と
を有する、項目５に記載のアクティブアンテナシステムにおけるアンテナ分割方法。
（項目１１）
上記最適化されたエリアの上記容量カウンタは、式１
【数５６】
2017502532.tif 000085
を用いることにより得られ、
ｐは、上記最適化されたエリアの上記ＲＢ使用状況であり、ｑは、上記最適化されたエリアの上記負荷差割合であり、ｋ１およびｋ２はそれぞれ、上記最適化されたエリアの上記ＲＢ使用状況の比率および上記最適化されたエリアの上記負荷差割合の比率であり、ｋ１＋ｋ２＝１であり、Ｇ１は、より低い容量カウンタがより大きな容量を示す上記容量カウンタである、項目１から１０のいずれか一項に記載のアクティブアンテナシステムにおけるアンテナ分割方法。
（項目１２）
上記カバレッジカウンタを計算するための式として式２
【数５７】
2017502532.tif 000086
が用いられ、
ｎは、上記最適化されたエリアの取得された上記測定情報の数であり、ｉ＝１，２，・・・，ｎであり、ｉは整数であり、
【数５８】
2017502532.tif 000087
および
【数５９】
2017502532.tif 000088
はそれぞれ、上記ＲＳＲＰの上記推定値および上記ＳＩＮＲの上記推定値であり、
【数６０】
2017502532.tif 000089
および
【数６１】
2017502532.tif 000090
はそれぞれ、ＲＳＲＰ閾値およびＳＩＮＲ閾値であり、ｋ３およびｋ４はそれぞれ、上記ＲＳＲＰの比率および上記ＳＩＮＲの比率であり、ｋ３＋ｋ４＝１であり、
【数６２】
2017502532.tif 000091
であるとき、
【数６３】
2017502532.tif 000092
は１であり、そうでないとき、
【数６４】
2017502532.tif 000093
は０であり、Ｆ１は上記カバレッジカウンタである、項目５から１１のいずれか一項に記載のアクティブアンテナシステムにおけるアンテナ分割方法。
（項目１３）
アクティブアンテナシステムＡＡＳセルの負荷が負荷閾値より大きい、またはそれと等しいとき、最適化されたエリアにあるセルに過負荷がかかっておらず、第１セルの負荷が上記ＡＡＳセルの上記負荷未満であり、第２セルの負荷が上記ＡＡＳセルの上記負荷未満である場合、上記最適化されたエリアの最大容量に対応する第１アンテナパラメータ組み合わせを取得するよう構成された取得ユニットであり、上記第１セルおよび上記第２セルは、上記ＡＡＳセルが事前分割された後に得られる２つのセルであり、上記最適化されたエリアは上記ＡＡＳセルであり、または上記ＡＡＳセルと、上記ＡＡＳセルの少なくとも１つの近隣のセルとであり、上記第１アンテナパラメータ組み合わせは、上記第１セルの第１アンテナパラメータと、上記第２セルの第２アンテナパラメータとを含み、上記第１アンテナパラメータは、第１アンテナのダウンチルトと上記第１アンテナの送信電力とを含み、上記第２アンテナパラメータは、第２アンテナのダウンチルトと、上記第２アンテナの送信電力とを含む取得ユニットと、
上記第１アンテナパラメータ組み合わせに従ってＡＡＳアンテナを分割するよう構成された分割ユニットと
を備える、コントローラ。
（項目１４）
上記取得ユニットは、
事前設定された期間に上記最適化されたエリアにあるユーザ機器により収集される測定情報を取得するよう構成された第１取得サブユニットと、
複数のアンテナパラメータ組み合わせを用いることにより上記測定情報に基づき推定を実行して、上記測定情報の、上記複数のアンテナパラメータ組み合わせのうち各アンテナパラメータ組み合わせに対応する推定値を得るよう構成された第１推定サブユニットと、
上記測定情報の上記推定値に従って、上記最適化されたエリアの、各アンテナパラメータ組み合わせに対応する容量を計算するよう構成された第１容量計算サブユニットと、
上記最適化されたエリアの、各アンテナパラメータ組み合わせに対応する、上記第１容量計算サブユニットにより計算された上記容量に従って、上記最適化されたエリアの上記最大容量に対応する上記第１アンテナパラメータ組み合わせを取得するよう構成された第２取得サブユニットと
を有する、項目１３に記載のコントローラ。
（項目１５）
上記測定情報は、上記ユーザ機器の信号対干渉プラス雑音比ＳＩＮＲとスループットとを含み、
上記第１推定サブユニットは具体的に、上記複数のアンテナパラメータ組み合わせを用いることにより上記ＳＩＮＲおよび上記スループットに基づき推定を実行して、上記複数のアンテナパラメータ組み合わせのうち各アンテナ組み合わせに対応する上記ＳＩＮＲの推定値と上記スループットの推定値とを得るよう構成される、項目１４に記載のコントローラ。
（項目１６）
上記第１容量計算サブユニットは具体的に、
上記第１推定サブユニットにより得られた上記ＳＩＮＲの上記推定値および上記スループットの上記推定値に従って、上記最適化されたエリアの、各アンテナパラメータ組み合わせに対応するリソースブロックＲＢ使用状況および負荷差割合を計算し、
上記リソースブロックＲＢ使用状況および上記負荷差割合に従って、上記最適化されたエリアの、各アンテナパラメータ組み合わせに対応する上記容量を計算する
よう構成される、項目１５に記載のコントローラ。
（項目１７）
上記最適化されたエリアの、上記第１アンテナパラメータ組み合わせに対応するカバレッジカウンタはカバレッジカウンタ閾値より大きい、またはそれと等しい、項目１６に記載のコントローラ。
（項目１８）
上記取得ユニットは、
上記最適化されたエリアの上記カバレッジカウンタが上記カバレッジカウンタ閾値より大きい、またはそれと等しいことを指すカバレッジ条件を満たす複数のアンテナパラメータ組み合わせを取得するよう構成された第３取得サブユニットと、
上記最適化されたエリアの、上記カバレッジ条件を満たす上記複数のアンテナパラメータ組み合わせに対応する上記容量を計算して、上記最大容量に対応する上記第１アンテナパラメータ組み合わせを取得するよう構成された第４取得サブユニットと
を有する、項目１７に記載のコントローラ。
（項目１９）
上記第３取得サブユニットは、
事前設定された期間に上記最適化されたエリアにあるユーザ機器により収集される測定情報を取得するよう構成された第５取得サブユニットと、
複数のアンテナパラメータ組み合わせを用いることにより上記測定情報に基づき推定を実行して、上記測定情報の、上記複数のアンテナパラメータ組み合わせのうち各アンテナパラメータ組み合わせに対応する推定値を得るよう構成された第２推定サブユニットと、
上記測定情報の上記推定値に従って、上記最適化されたエリアの、各アンテナパラメータ組み合わせに対応する上記カバレッジカウンタを計算するよう構成された第２カバレッジ計算サブユニットと、
全ての上記複数のアンテナパラメータ組み合わせに対応する計算された複数のカバレッジカウンタを上記カバレッジカウンタ閾値と比較して、上記カバレッジ条件を満たす上記複数のアンテナパラメータ組み合わせを取得するよう構成された第６取得サブユニットと
を含む、項目１８に記載のコントローラ。
（項目２０）
上記測定情報は、上記ユーザ機器のＳＩＮＲと基準信号受信電力ＲＳＲＰとを含み、
上記第２推定サブユニットは具体的に、
上記複数のアンテナパラメータ組み合わせを用いることにより上記ＳＩＮＲおよび上記ＲＳＲＰに基づき推定を実行して、上記複数のアンテナパラメータ組み合わせのうち各アンテナパラメータ組み合わせに対応する上記ＳＩＮＲの推定値と上記ＲＳＲＰの推定値とを得るよう構成され、
上記第２カバレッジ計算サブユニットは具体的に、上記ＳＩＮＲの上記推定値および上記ＲＳＲＰの上記推定値に従って、上記最適化されたエリアの、各アンテナパラメータ組み合わせに対応する上記カバレッジカウンタを計算するよう構成される、項目１９に記載のコントローラ。
（項目２１）
上記測定情報は、上記ユーザ機器のスループットをさらに含み、
上記第２推定サブユニットは具体的に、上記複数のアンテナパラメータ組み合わせを用いることにより上記スループットに基づき推定を実行して、上記スループットの、上記複数のアンテナパラメータ組み合わせのうち各アンテナパラメータ組み合わせに対応する推定値を得るようさらに構成され、
上記第４取得サブユニットは具体的に、
上記ＳＩＮＲの上記推定値および上記スループットの上記推定値に従って、上記最適化されたエリアの、上記カバレッジ条件を満たす各アンテナパラメータ組み合わせに対応するリソースブロックＲＢ使用状況および負荷差割合を計算し、
上記ＲＢ使用状況および上記負荷差割合に従って、上記最適化されたエリアの、上記カバレッジ条件を満たす各アンテナパラメータ組み合わせに対応する上記容量を計算して、上記最大容量に対応するアンテナパラメータ組み合わせを取得する
よう構成される、項目２０に記載のコントローラ。
（項目２２）
上記取得ユニットは具体的に、
事前設定された期間に上記最適化されたエリアにあるユーザ機器により収集される測定情報を取得し、
複数のアンテナパラメータ組み合わせを用いることにより上記測定情報に基づき推定を実行して、上記測定情報の、上記複数のアンテナパラメータ組み合わせのうち各アンテナパラメータ組み合わせに対応する推定値を得、
上記測定情報の上記推定値に従って、上記最適化されたエリアの、各アンテナパラメータ組み合わせに対応する容量を計算し、
上記最適化されたエリアの、各アンテナパラメータ組み合わせに対応する、上記第３容量計算サブユニットにより計算される上記容量に従って、上記最適化されたエリアの上記カバレッジカウンタが上記カバレッジカウンタ閾値より大きい、またはそれと等しいことを指す上記カバレッジ条件を満たす複数のアンテナパラメータ組み合わせの、上記最適化されたエリアの最大容量に対応する上記第１アンテナパラメータ組み合わせを取得する
よう構成される、項目１７に記載のコントローラ。
（項目２３）
上記最適化されたエリアの上記容量カウンタは、式１
【数６５】
2017502532.tif 000094
を用いることにより得られ、
ｐは、上記最適化されたエリアの上記ＲＢ使用状況であり、ｑは、上記最適化されたエリアの上記負荷差割合であり、ｋ１およびｋ２はそれぞれ、上記最適化されたエリアの上記ＲＢ使用状況の比率および上記最適化されたエリアの上記負荷差割合の比率であり、ｋ１＋ｋ２＝１であり、Ｇ１は、より低い容量カウンタがより大きな容量を示す上記容量カウンタである、項目１３から２２のいずれか一項に記載のコントローラ。
（項目２４）
上記カバレッジカウンタを計算するための式として式２
【数６６】
2017502532.tif 000095
が用いられ、
ｎは、上記最適化されたエリアの取得された上記測定情報の数であり、ｉ＝１，２，・・・，ｎであり、ｉは整数であり、
【数６７】
2017502532.tif 000096
および
【数６８】
2017502532.tif 000097
はそれぞれ、上記ＲＳＲＰの上記推定値および上記ＳＩＮＲの上記推定値であり、
【数６９】
2017502532.tif 000098
および
【数７０】
2017502532.tif 000099
はそれぞれ、ＲＳＲＰ閾値およびＳＩＮＲ閾値であり、ｋ３およびｋ４はそれぞれ、上記ＲＳＲＰの比率および上記ＳＩＮＲの比率であり、ｋ３＋ｋ４＝１であり、
【数７１】
2017502532.tif 000100
であるとき、
【数７２】
2017502532.tif 000101
は１であり、そうでないとき、
【数７３】
2017502532.tif 000102
は０であり、Ｆ１は上記カバレッジカウンタである、項目１７から２３のいずれか一項に記載のコントローラ。
【国際調査報告】
2017502532.tif 000103
2017502532.tif 000104
2017502532.tif 000105
2017502532.tif 000106